(57)【要約】【課題】オキアミの通し性、釣り糸の出糸の固定性、オキアミの固定性、掛かり性、オキアミの取付使用方法開発。【解決手段】軸３のフトコロ８側、又はフトコロ８と反対側、又は軸３端部に、環状部３０を備え、且つ掛かり時に釣り糸１０を支える部位としての、各種耳２（２ａ・２ｂ・２ｃ・２ｄ）を配置し、且つ軸３を捲回しない結合方法と組み合わせて、オキアミに関する通し性・固定性・掛かり性に優れた釣り針と、その釣り針仕掛けへのオキアミの新取付・使用方法が開発できた。【選択図】図１
2006122032.tif 000002
【特許請求の範囲】
【請求項１】
専用釣り餌として前処理したオキアミ２５・２７を、通し刺しにして使用する為に、軸３から魚に刺さる針先７までの距離としてのフトコロ８が１箇所であり、且つ、全体的に錘部や刺し針・保持軸等の付加軸や軸３の折り返し部等の、通し刺しに対する障害部位を持たず、且つ、軸３端部を潰したり除去加工した略平面に、フトコロ８側から正面視した場合に、通し穴を持つ穴サラエの耳２ｃ、又は、軸３端を曲げて略円環部にし、その穴又は略穴を軸３端部に持つ管付の耳２ｄ、又は、軸３部にて接合して設けた、略平面をフトコロ８に面して持ち、通し穴を持たない撞木の耳２ａや丸耳２ｂ、又は、軸３部にて接合して設けた穴サラエの耳２ｃ、又は、軸３部にて接合して設けた管付の耳２ｄの、耳２のいずれかを必ず軸３端部に備え、且つ、該耳２と腰曲がり４間の軸３部のフトコロ８側正面に、又は、フトコロ８と反対側に、又は、これらの耳２と軸３のフトコロ８側境界部（軸３端部のフトコロ８側）に、釣り糸１０を挿通して結合する為の環状部３０を設けた事を特徴とする釣り針、その製造方法、その釣り針を結合穴３０への釣り糸１０（モノフィラメント・編み糸・金属撚り線等含む）の挿通をして結合した仕掛け、その仕掛けに、解凍した生オキアミ、又はボイルオキアミの、少なくとも尻尾（尾節２０ｈ・副棘２０ｉ・尾肢２０ｊ）部分の全部と、その近傍の腹節２０ｎの少なくとも一部を、取り去った残りの腹節２０ｎと一連の頭胸部２０ｆ（眼２０ａ・鰓２０ｄ・胸脚２０ｍ等を含む）で構成する、略通し刺しが可能な寸法・部位であり、該釣り針の耳２−先曲がり５間の経路の長さ以下である、適切な長さのオキアミ２５、又は、該頭胸部２０ｆも取り去った残りの腹部（腹節２０ｎの集まり）である、該適切な長さとしたオキアミ２７を、最後の１個より先に、該釣り針に通し刺しした該オキアミは、一旦該耳２（２ａ・２ｂ・２ｃ・２ｄ）を越えて、釣り糸１０の本線迄達する様に仮置きし、且つ最後に針先７に通し刺し、又は、縫い刺しした１個の最終部が該釣り針の腰曲がり４部迄達する様に、取り付け途中で釣り針の支持部位を持ち替えて通じて、且つ、最後の１個より先に通じて該仮置きしたオキアミ２５・２７は引き降ろして、該釣り針の耳２−腰曲がり４間の全部、及び該釣り針との釣り糸１０の結合部１５全部、及び、近傍の該仕掛けの少なくとも一部を、２個以上直列の、オキアミ２５、及び、又は、オキアミ２７で覆い隠す様に通して取り付ける使用方法
【請求項２】
フトコロ８側に面して略平面を持つ耳２（２ａ・２ｂ・２ｃ）の、端部Ｇに向かう方向への該略平面の伸長長さとするＬが、又は、管付の耳２ｄにおいては、その環の合わせ目の最も軸３側から、該耳２ｄの端部Ｇまでの伸長長さとするＬが、該軸３径（異形の場合、最大径）の４倍を超える長さとした事を追加特徴とする請求項１に記載の釣り針、その製造方法、その仕掛け、その仕掛けにオキアミ２５・２７を取り付ける請求項１に記載の使用方法
【請求項３】
フトコロ８側に面して略平面を持つ耳２（２ａ・２ｂ・２ｃ）の、端部Ｇ側に、該耳２の端部Ｇ側厚みの値よりも、その半径値Ｒの値が大きな曲げを施した、或いは、同じく該Ｒの絞り加工曲面部Ｑを設けた事を追加特徴とする請求項１，２に記載の釣り針、その製造方法、その仕掛け、その仕掛けにオキアミ２５・２７を取り付ける請求項１に記載の使用方法
【請求項４】
フトコロ８側に面して略平面を持つ耳２ｃの穴に、該耳２ｃの厚みの値よりも大きな半径値の曲面となるファンネル加工Ｍを施した、又は、該耳２ｃの穴部に金属製・樹脂製等のハトメを嵌め込んでＭ部とした事を追加特徴とする請求項１，２，３に記載の釣り針、その製造方法、その仕掛け、その仕掛けにオキアミ２５・２７を取り付ける請求項１に記載の使用方法
【請求項５】
軸３端に設けた耳２ｄを構成するループの形状を、その耳２ｄの最大構成面に直交する方向から正面視した場合に、全体的に、軸３から耳２ｄ端部Ｇに向かう方向の距離が、その直交方向より大きい略三角形・略扇形・略連結円形のいずれか、又は、その組合わせとした事を追加特徴とする請求項１，２に記載の釣り針、その製造方法、その仕掛け、その仕掛けにオキアミ２５・２７を取り付ける請求項１に記載の使用方法
【請求項６】
軸３端に設けた耳２ｄの端部Ｇ側を、その最大構成面に略平行（厚みが増す方向）に、且つフトコロ８側にその凹部が向くように曲げた、及び、又は、該Ｇ側の耳２ｄの側面から見た直近の軸３と為す角度Ｔａが、該耳２ｄの軸３側と直近の軸３が為す角度Ｔよりも大となる様に追加曲げした事を追加特徴とする請求項１，２，５に記載の釣り針、その製造方法、その仕掛け、その仕掛けにオキアミ２５・２７を取り付ける請求項１に記載の使用方法
【発明の詳細な説明】
【技術分野】
【０００１】本願発明の釣り針は、水産業、特に沿岸及び沖合の一本釣り漁業等に使用される、海魚用の釣り針に関するものである。
【背景技術】
【０００２】従来から魚釣りに用いられている、フトコロ８がひとつの、湾曲した釣り針１（図２に、主に、「釣りの科学  森秀人氏  １９８１年発行  講談社」による各部の名称を示し、以降単に釣り針と記す）には、釣り糸１０を結ぶ軸３（又は、茎・シャンク等）の端部に、耳２（又は、チモト・タタキ・アイ等）と呼ばれる形状部が有り、釣り糸１０の結合のために様々の形状が有る。この軸３端部にある耳２から、その基幹である軸３を経て、針先７方向への湾曲部の約半周（約１８０度）の内、約半分のターンを分担する腰曲がり４、針先７へと更に湾曲させ、残りの半分のターンを分担するのが、先曲がり５となり、最終的には、魚に釣り針を刺して掛ける為の、尖端である針先７となる。先曲がり５と針先７間には、必要に応じて、その内側、又は、外側に、アゴ６（モドシ・カエシ・バーブ等）が設けられる。針先７と軸３間の距離が、いわゆる、フトコロ８となる。この考え方から、軸３部から全体的に、腰曲がり４様に湾曲している釣り針については、針先７に相対している基幹部分付近から、軸３端部の耳２迄の間は少なくとも軸３であると考えれば良く、逆に、軸３が一旦針先７と逆方向に湾曲している釣り針は、針先７方向へ曲がりが転じる変曲点付近から、軸３端部の耳２迄の間は、軸３であると考えられる。従って、フトコロ８がひとつの湾曲している釣り針においては、少なくとも針先７に相対している部分から、或いは、フトコロ８部から上に、釣り糸１０を止める為の各種形状部までの間は、全ての形の釣り針で、軸３と見なす事が出来る。【０００３】中井戸嘉彦氏の「仕掛け教室  ３２頁−３３項  １９８４年発行（株）週間釣りサンデー社」によれば、主な耳２は、主に、フトコロ側正面から見て、図３〜図７に分類され、国内では図３・図４の様な、軸３端を潰した撞木（シュモク）と総称される形の耳（丸耳を含む）が、最も普及している。一般的に、撞木の耳２（２ａ・２ｂ）での結合部１５では、軸３部に周回させた釣り糸１０の内径周長よりも、潰した耳２部分の周長が大きくしてある事で、釣り糸１０で捲いた結合部１５の輪が、軸３の耳２方向に滑るのを止める事により、図１０の様に、その輪が下に押え込んだ釣り糸１０（出糸）を固定している。幾何学的には、同じ面積では円の周長が最小であり、他の形は、すべてそれより周長が大きくなる。例えば、断面が丸い軸３を３分の１に平たく潰せば、周長は約１．７倍程度に大きくなるので、軸３に捲いた釣り糸１０の輪が負荷で伸びたりして、この周長の大きな部分を、耳２方向にずれ滑って乗り越えなければ、最も下に押えている釣り糸１０（出糸）も固定される。この撞木の耳２（２ａ・２ｂ）は押圧変形（プレス機で潰す）だけで良いのでコストも小さく、釣り糸１０の結合方法が正しければ、後述する掛かり時の姿勢制御上のメリットが出易く、又、図６に示す管付（尻曲がり）の耳２ｄの様に、大きくて目立つ耳では無いので、最も合理的に出来ている。管付の耳２ｄは、主に太い糸を結ぶ根魚・大型魚食魚や深海魚用等の特殊な餌釣り用途の釣り針に使用されるが、ルアー等による釣りでは、環の方向を、図６と直交方向にしたものが多用される。図５の穴サラエの耳２ｃは、主に石鯛等の底物類や大型��食魚等の、向こう合わせの魚に用いられる。撞木の耳２（２ａ・２ｂ）は、殆どの魚種用の釣り針の耳として採用され、コストと実用性から最も普及している。図７のギザ耳２ｅは、それを数個組み合わせて、フトコロ８が複数の錨型とする場合に、主に使用され、鮎の友釣りの掛け針等に利用されている。他には、主に文献によると、図８の様に、軸端に略球状の抜け止め部を設けたものや、単に軸３をフトコロ８と反対側やフトコロ８側に折り返したり、図９の様に、更にその末端をつぶして抜け止めを付けたもの等があるが、結び易さやコストメリットがあるだけで、他に明確なメリットが無いので、一般的では無い。【０００４】魚釣りの作業工程に沿って、従来技術を説明する。図１１に示す、ステップＩでは、仕掛けの要素である、釣り針を釣り糸１０に結合する工程の従来技術文献の一部を示す。主に、撞木の耳２（２ａ・２ｂ）の使用上の重要ポイントとしての、釣り糸１０の出し口（出糸）をフトコロ８側正面に保つ為の技術がある。次に、その結びが少々の熟練を要する為に、それを解消する結合方式・構造や結合の簡易化に関するものがある。次に、図１０の結びで発生する事がある、結合部１５からの釣り針のすっぽ抜けを防止・緩和する、結合強度の劣化を防止する等の技術が公開・提案されている。【０００５】次のステップＩＩでは、釣り針を釣り糸１０と結合したいわゆる仕掛けに、釣り餌を取付ける場合に関する従来技術を、図１２の一部に示す。主に、餌の通し性に関するものが多く、多数の餌付けや長大な餌付けに関するものがある。【０００６】ステップＩＩＩの投入では、魚のいる泳層、いわゆるタナまで、釣り餌付仕掛けを届ける際に、最も問題になる餌の脱落やずれに関するものが多く、図１２の一部に、その従来技術を示す。餌が脱落すれば、魚は当然釣れないが、ずれて仕掛け各部の多くがが露出すると、魚は本能的に警戒して無視するので釣れにくくなる。【０００７】ステップＩＶの待機・誘いに関する従来技術文献を、図１３に示す。主に、活餌の生存や持ち、誘い時の根掛かり等にかんするものが多い。ステップＩＶ−２には、仕掛けの露見を防止するものと、餌や仕掛けの存在をアピールするものがある。【０００８】図１４の一部に、ステップＶの食わせ時に関するものと、その後の吐き出し防止の特殊技術の文献を示す。殆どの魚は、摂餌する際は、餌廻りの海水ごとの吸引を行うので、それを積極的に利用する事が出来る。吐き出し防止には、開閉・拡開やフトコロの複数化が多い。【０００９】ステップＶＩの、食わせてからの、掛かりに関する技術文献を、図１４に示す。針先７廻りの断面特定と、同アゴ６に関するものが多く、全体の形状を特殊化するものや、軸３と先曲がり５−針先７間のヒネリに関するものもある。図１５の一部に、ステップＶＩ−２として、フトコロ８が複数の釣り針の、掛かり性に関するものを示す。【００１０】ステップＶＩＩのやり取り・取り込みに関するものを、図１５の一部に示す。強度に関する断面特定に関するものがメインで、結合の強化に関するものも載せている。【００１１】ステップＶＩＩＩとして、釣り針の外しに関するものを、図１５の一部に示す。【００１２】その他の技術文献も、図１５の一部に��す。特殊な課題を目標としたものが多い。以上の文献については、課題・効果が重複する為重なる部分も多く、又、意匠登録については、効果が記載されていないので、発明者の独断と判断によるマップである。【００１３】文献に見当たらない、撞木の耳２（２ａ・２ｂ）が持つフトコロ８側平面の、直近の軸３に対する角度については、図１６の様に、通常、耳２のフトコロ８側略平面の延長線が先曲がり５付近に交差する向きになる角度Ｔとしている。この角度Ｔは、魚と釣り糸１０が、釣り針を介して引き合う際は、釣り針が最も深く刺さった状態（釣り糸１０の取付起点から釣り針のフトコロ８をめぐる湾曲部の内、もっとも遠い所まで突き刺さった所・距離が最も大きい位置）で力学的に安定するので、その向きに角度Ｔをほぼ合致させており、軸３から針先７までの取り回しや軸３の湾曲程度にもよるが、通常、直近の軸３に対して０度付近からフトコロ８と反対側に４０度程度としている。掛けた魚を釣り糸１０で吊るした（糸が直線に伸びた状態）際に、耳２の端部が釣り糸１０に力を加えない角度にすれば、釣り糸１０に不必要に耳２からの力が加わらなくてすむ。この為、先曲がり５の位置と、軸３の曲がり具合や長さ等の、釣り針の全体形状との兼ね合いで、取れる角度Ｔにはある程度の制限が生じる。【００１４】同じく文献には見つからない、撞木の耳２（２ａ・２ｂ）の潰してある部分の長さについては、釣り糸１０（ハリス等）を、一般的な外掛け結び・内掛け結び・漁師結び等で、釣り針の軸３に捲いて結合する場合、釣り糸１０が捲かれている事で増大する結合部１５の総合断面積、及び、釣り糸１０の端部が、軸３の腰曲がり４側向きに突き出して残る影響等で、オキアミ等の釣り餌が、釣り糸１０を捲いた部分よりも耳２側には押し上げきれない為、目立たせて魚に警戒心を抱かせ、釣果を落とす事が少ない様にする為に、比較的短めに製作されており、直近の軸３の太さと比べると、２〜４倍程度になっている。最近の傾向を見ると、小さ目にした事をセールスポイントとする釣り針メーカーもある。つまり、餌釣りでは、まずは釣り針を忍ばせた餌を魚に食べさせる事が大前提であるから、その観点だけからみれば、警戒心を起こさせる耳２や結合部１５等は、小さい程目立たなくて良い。従って、耳２や結合部１５を隠す事が出来ない場合で、耳２を長くすることは、かえって釣果を悪くする危険性がある。【００１５】撞木の耳２（２ａ・２ｂ）の次に普及している釣り針の耳は、図６の、軸３端に軸材を環状に丸めることで、糸通しの穴や略穴を設けた管付（尻曲がり）の耳２ｄで、例外はあるが、主に根魚・大型魚食魚や深海魚等の攻撃性の高い魚に用いられる、比較的大きな釣り針に採用されている。「仕掛け教室」によれば、元来は、撞木の耳２（２ａ・２ｂ）の釣り針に、釣り糸１０をうまく結べない人用とのことであるが、実際に、図１７の様に、環の端部にクリンチノット等で結べば、掛かりが悪い（理由を後述する）ので、この結合方法では、いわゆる向こう合わせの魚に用いられる場合が多い。環の向きは餌釣り用に関しては、フトコロ８側正面に、その穴が面している。又、環の方向を通常の餌釣り用と直交方向にして、フトコロ８の箇所数も複数の場合が��い、ルアー釣り・バケによる曳釣り・餌を付けてのジギング等に用いられるいわゆるフックは、殆どがこのアイタイプである。基本的に、ルアーやバケ釣りの対象となる、攻撃性の高い向こう合わせの魚には、この方向の耳２ｄでも問題が少なく、且つ、釣り針のみの取り替えの自由度の方が重要だから普及している。末端の曲げ込んだ環の合わせ目を少し開けて取り替えの工夫をしたもの（略穴と考える）もある。尚、ルアー用でも、餌釣り用と同じ環方向のものもある。又掛かりを良くする為の、軸３の様々な取り回し（曲げ）の変更や、長軸化等の工夫もされている。合わせをして掛けないと、餌や釣り針を吐出して逃げる手前合わせの魚に使われる餌釣り用の釣り針は、従来型の潰して平たくした撞木の耳２（２ａ・２ｂ）の方が多い。しかし、管付の耳２ｄの釣り針でも、餌を付ける釣りの場合に、図１８の様にフトコロ８側から釣り糸１０を穴に通し、軸３のフトコロ８と反対側に、出糸の接点が来るように、例えば外掛け結び等で、軸３に捲いて結んで使用すると、掛かりの悪さの問題が無くなり、この結合は、釣りのガイドブックや文献にも良く記載されている。耳２の大きさを問題としない魚の釣りや、光量が少なくて耳２の露出が問題とならない夜釣り・深海での釣り等では、環部が釣り糸１０を保護してくれる重要な機能を併せ持っていることもあり、管付の耳２ｄの釣り針の利用率が高い。【００１６】管付の耳２ｄの内、ルアーフィッシング等に使うもの以外の餌釣り用は、前述の様に、その穴がフトコロ８に面した方向となっているが、その環の構成する面の、軸３に対する角度Ｔは、図１６に準じて、軸３方向を０としたとき、プラス４０度〜マイナス６０度程度である。マイナスは、耳２ｄをフトコロ８側に傾けて、釣り糸１０をフトコロ８側に結んでも、釣り糸１０（出糸）を環に通せる様にして、掛かり時の針先７角度を、フトコロ８上部の開口部寸法の確保に優先させたものを示す。この取り回し（角度）は、穴サラエの耳２ｃの場合にも、共通する例がある。【００１７】先と同じく、文献には無いが、餌釣り用の管付の耳２ｄの、耳形状については、コンパクトに丸める方がやはり目立たないので、通常は、図６の様に略円環状としており、使う釣り糸１０の号数で穴径を決めれば良い。根付け仕掛けを作る場合を除き、軸３より太い釣り糸１０を使う事は、殆ど無いので、穴を軸３の径と同じか倍程度までとすると、円環の外径は、軸３の３〜４倍程度以下となる。尚、ルアー用のフックにおいては、環の形状を円ではない異形にしたものも文献にあり、環の径も大きいものがある。【００１８】図５に示した、穴サラエの耳２ｃについては、主に、石鯛等の底物釣り用として多く普及しているが、魚が餌を飲み込んで走り出すまでは合わせをしない、向こう合わせの釣りであり、仕掛けの屈曲を良くして違和感なく食べさせるために、結合方法として、図１９の様に、釣り糸１０ｃ（ワイヤー）の端部に環状部のある、いわゆる首振り結合部１５ａにする場合が多く、また沢山の硬い貝類等の餌を通し掛けにする都合と、穴を開ける事で剛性が低下しすぎると、その釣り法特有の強烈な合わせ時のショック荷重等で、耳２ｃ部に折れや切断を生じるので、潰した耳２ｃの潰し幅はあ��り大きくしない（潰し後の厚みを薄くし過ぎない）ように工夫された釣り針が、最近は多い。大型魚食魚用の釣り針では、釣り糸１０の向き安定には、フトコロ８側正面に、平たい略面さえあればよいので、円筒部を潰してはいても、幅は広げていないものや、除去加工で略平面に加工した釣り針もある。釣り糸１０には、頑丈で顎の力も強い石鯛等に、歯で噛み切られない様に、又、鋭い歯を持つ根魚等に擦り切られないように、金属の撚り線釣り糸１０ｃ（ワイヤー）や丈夫な釣り糸１０ｂ（編み糸）が根付けとして用いられる事が多く、それを現場で結合すると時間が掛かるので、根付け仕掛けとした状態で販売されているものも多い。【００１９】図２０に示す、オキアミ２０は、プランクトン（浮遊生物）のひとつで、百科事典等によれば、軟甲亜網オキアミ目オキアミ科の甲殻類で、全海洋に８０〜９０種程度はおり、エビ等の十脚目とは異なり、鰓が露出している等のより原始的な体構造である。大きくて豊富に産する種類しか安価な釣り餌には供給出来ないので、主に南極海等で専用船にて採捕される大型・中型のものが、生のままかボイルされて、且つ腐敗防止の為に冷凍されて、海釣りの釣り餌として供給されている。「海・川  釣り餌百科  １９８９年度版  つり人社」によれば、長所は、集魚効果・柔らかく食い込みが良い・抵比重・夜光性とあり、短所としては、柔らかく遠投不可・エサ落ちが早いとある。このオキアミ２０の改良に関しては、特開平９−１６８・特開平９−２８３１１・特開平１０−４８８９・特開２００３−１２５６８６・特開２００３−１２５６８７等の提案がなされている。【００２０】オキアミ２０の釣り針（仕掛け）への取付方法については、一般的に、図２１の様に、水中で餌（仕掛け毎）が回転してしまう原因となる、尻尾（尾節・副棘・尾肢）とその付近の腹節２０ｎを千切り、又は、切取って、オキアミ２５とし、基本的に、軸３に出来るだけ真っ直ぐに腰曲がり４付近まで、図２２の様に腹掛け、又は、図２３の様に背掛けに、通し刺し、又は、縫い刺し（針先７を、少なくとも１回、途中で外殻の外に出してから中に戻す）する。針先７から先曲がり５部迄は、掛かりを良くする為に、オキアミ２５から出しておくのが基本である。餌を大きく見せてアピールする、又は、大型魚を対象とする場合は、出来るだけ尻尾側の腹節２０ｎ、又は、その境界部で切り、図２４の様に、腹合わせ（抱き合わせ）、又は、図２５の様に背合わせで２匹掛けする、図２６の様に房掛けに沢山付ける、図２７の様に、釣り針を結ぶ場合に、結合部１５に一緒に縛りつけた、ずれ防止の為の切れ込みを細工したナイロン糸等に、オキアミ２５をそれぞれ刺して付けるといった方法が取られている。図２４〜２７のオキアミ２５の多数個掛けに共通するのは、オキアミ２５を並列に並べて取り付けしている事である。【００２１】特殊な釣り針においては、実登３０５４３１８において、ふたつのフトコロ８の釣り針に、ひとつの餌（本文において、海老・おきあみ）を掛けることが提案されている。特開平９−２５２６８１において、ホールドアームに餌（本文において沖アミ）をつけて保持する並列掛けの例図がある。餌の通し性を、格段に向上させた実登２５８８９９３につ��ては、餌（請求項・本文において、種類の記述無し）を直列に多数個、特殊な耳より釣り糸１０側へ通すことが可能とされている。実登２５８８１７７においては、餌（本文において、アワビ・トコブシ・サザエ・ヤドカリ・ウニ等）を直列に多数個、同耳より釣り糸１０側へ通すことが可能とされている。実登２５１４２０９においては、餌（本文において、アワビ・トコブシ・サザエ・エビ・マムシ・ウニ）を直列に多数個、同耳より釣り糸１０側へ通すことが可能とされている。特開平０７−３２７５６３については、餌（請求項・本文において、種類の記述無し）を直列に多数個、同耳より釣り糸１０側へ通すことが可能とされている。実開平７−２８３５４においては、餌（請求項・本文において、種類の記述無し）を直列に多数個、同耳より釣り糸１０側へ通すことが可能とされている。実開平７−０５３５６については、餌（本文においては、アワビ・トコブシ・サザエ・ヤドカリ・ウニ・マムシ・エビ等）を直列に多数個、同耳より釣り糸１０側へ通すことが可能とされている。実開平７−１１１６０においては、餌（本文において、アワビ・トコブシ・サザエ・ヤドカリ・ウニ・マムシ等）を直列に多数個、同耳より釣り糸１０側へ通すことが可能とされている。特開２００１−０２８９６８については、餌（請求項・本文において、種類の記述無し）を同チモト側端部まで差し込むことが可能とされているが、多数個挿入の記述はない。
【発明の開示】
【発明が解決しようとする課題】
【００２２】以上の先行技術の様に、釣り針の端部を潰したり環を設けたりした耳２（タタキ・チモト・アイ等）、及び近傍の軸３、及び釣り針全体には、餌の通し性（貫通させ易さ）、釣り糸１０の出し口の安定性、餌の固定性等の様々な課題が有る。又、この他に掛かり性の向上があり、最新の市販の釣り針は、細径化とロングテーパーによる針先の鋭さ・針先の切込部形状、アゴ６（モドシ・バーブ）の複数化やアゴの省略（いわゆる、スレ針）、縄文時代からあるアウトバーブの再普及、材質と熱処理の向上による高硬度化等の工夫がされてきている。発明者は、これらの技術動向を検討したが、特に掛かり性を向上させる為の、高応力部位としての、先曲がり５付近の細径化傾向は、やりとりに時間の掛けられる遊漁においては、特に問題ないが、職漁においては問題があると考えている。職漁においては、不意の大物魚が掛かっても伸びたり折れたりしない頑丈さ、短時間で釣り上げるためにある程度強引なやり取りが必要な為、基本的には、従来同様に、掛かり時の応力が大きくて伸びたり折れたりしやすい腰曲がり４−先曲がり５間等が太い、或いは全体的に太くて頑丈な釣り針が好ましい。釣り糸１０も、職漁においては、確実性・強引への対応性・コストを下げる為の繰り返し使用が前提となるので、糸材質の改良等で強度が向上してきても、基本的に、安価で太い釣り糸１０が従来同様に使用され、遊漁の様に２号未満等の細い糸は使われえないので、釣り針側が先に破損する事は、あってはならないと考える。又、釣り餌としてのオキアミ２０の取付・使用方法については、従来式の結合の釣り針については、文献・釣りのガイドブック・雑誌等に従えばよいが、新しく開発された通し性の優れた釣り針には、それに最も適した付け方（使用方法）が具体的に開示されるべきである。【００２３】従って、職漁の従事者にも使ってもらえる釣り針としては、従来と同様の釣り針素材の太さ・釣り糸１０の太さのもとで、オキアミ２０を餌として使用する場合の前提で、最も多用されるフトコロ８がひとつの釣り針として、何が課題として要求されるかをまとめてみた。これらの様々な課題を、先のステップごとに整理すると、図１１〜１５の表に示す様に、▲１▼出糸がフトコロ正面側からずれない、又は、穴付の耳２（２ｃ・２ｄ）等でそれに相当する効果がある、▲２▼簡単な（周知性に優れている）結合で、結合が可能、▲３▼釣り糸１０が伸びてもすっぽ抜けしない、▲４▼強度劣化しにくい、▲５▼２重結合等も可能、▲６▼耳２の端での傷防止が可能、▲７▼環部での糸抜け対策も可能、▲９▼餌の脱落やずれ防止が可能、▲１０▼結合部１５・耳２・仕掛けの一部等の露見防止、▲１１▼餌のアピール性の向上、▲１２▼吸込み性の強化、▲１３▼掛かり性の向上が可能、▲１４▼高強度釣り糸（ワイヤー１０ｃ・編み糸１０ｂ等）の使用が問題なく可能、となる。従って、釣り針単体だけでは無く、それを利用した仕掛け、及び餌の取付・使用方法まで踏み込んだ、総合的な対策が必要となる。
【課題を解決する為の手段】
【００２４】段落（００２３）の課題▲１▼〜▲１４▼の内、課題▲１▼〜▲３▼、▲８▼〜▲１３▼は重要で、その中でも、▲１▼、▲８▼、▲９▼、▲１０▼、▲１３▼は特に重要であり、どの一つを欠かしても、改良の意味が無くなる。その他の課題は、補助的な意味が強い。整理の為、ステップに沿った▲１▼から▲１４▼の順にて、解決の手段を解説する。
【００２５】課題▲１▼については、耳２部に穴を持つ場合と、穴を持たない場合で、本願発明で新設する環状部３０の、設置可能位置が一部異なる。図２８に示す領域図で説明すると、耳２に穴を持つ場合は、軸３のフトコロ８と反対側に、図２９〜図３２の様に、釣り糸１０結合用の環状部３０を設ける事が出来、そこに釣り糸１０を結合して、出糸は必ず耳２の穴を通すようにする。環状部３０は、そのループ構成の一部に、軸３や耳２の一部を利用するものや異形品も当然含んでいる。耳２に穴を持たない撞木の耳２（２ａ・２ｂ）の場合は、軸３のフトコロ８側と、軸３の端部に環状部３０を設ける事が出来るが、このフトコロ８側分は既に公開しているので、接合で耳２を設ける場合のみに請求項で限定する。これを、図３３〜３５に示す。耳２に穴を持つ耳２ｃ・耳２ｄの場合も、この軸３のフトコロ８側と、軸３の端部に環状部３０を設置する事は可能である。これを、図３６・図３７に示す。以上の様に、環状部３０に釣り糸１０を結合する事で、従来の外掛け結び・内掛け結び・漁師結び等に発生する軸３の周方向への出糸のずれは、完全に解消される。
これで、課題▲１▼は解決となる。
【００２６】課題▲２▼については、課題▲１▼の解決の為に設けた環状部３０に、主にサルカンの釣り糸１０結び等で多用される、簡便なクリンチノット方式で結合すれば良い。その他の結合方法は、詳細を後述する。
これで、課題の▲２▼は解決となる。
【００２７】課題▲３▼については、課題▲１▼、▲２▼の解決によって、軸３に周回する釣り糸１０で出糸を押えない構成となったので、釣り糸１０の伸びによって起きるすっぽ抜けは発生しない。
これで、課題▲３▼は解決となる。
【００２８】課題▲４▼については、課題▲２▼のクリンチノットが基本的に使えるので、結び難さは無く、強度劣化も、サルカン結びで実証されている様に大きくないので、問題は無い。更に結合後強度を向上させる方法は、詳細を後述する。
これで、課題▲４▼は解決となる。
【００２９】課題▲５▼（▲１４▼も同じ）については、強力な編み糸１０ｂやワイヤー１０ｃを使えば良い。それが課題▲１０▼と相反してしまい、魚が警戒して食いが悪くなる。それを解決する課題▲１０▼では、課題▲８▼の解決に基づくオキアミ２０の本願仕掛けへの取り付け、使用方法が関係するので、その詳細は後述する。
これで、課題▲５▼は解決とする。
【００３０】課題▲６▼については、耳２の各形状で異なる。管付の耳２ｄについては、断面にエッジの無い、円断面や角丸断面の線材を使用すれば、基本的に問題がない。撞木の耳（２ａ・２ｂ）については、図３８の様に、末端Ｇ側を耳２ａの厚みの値よりも大きな半径Ｒで曲げる、丸耳２ｂの曲線状の末端Ｇ側については、図３９の様に、同様のＲで縁を絞り曲げしてＱ部とすれば良い。耳の面幅を大きく取る為に厚みが小さくなった穴サラエの耳２ｃについては、図４０の様に、該穴の周囲をファンネル状に絞り加工して、Ｍ部とすることで、釣り糸１０と接触する曲率の小さい部分を無くす事が出来る。また、金属や樹脂製のハトメを嵌め込むことで、同様の効果を得る事も出来る。
これで、課題▲６▼は解決となる。
【００３１】管付の耳２ｄで問題となる、課題▲７▼については、耳２ｄの環部の合わせ目を、図４１の様に、ルアー用途の釣針で為されている様に、ロー付け・半田付け・溶接等で接合すれば問題が無い。樹脂埋めは、釣り糸１０の傷発生の防止には良いが、耐久性と特許上問題がある。
これで、課題▲７▼は解決となる。
【００３２】課題▲８▼の通し性については、従来技術の殆どがクリアしきれずに、消滅した高いハードルであり、解析から順を追って説明する。従来形の釣り針１に、外掛け結びをした場合の、結合部１５断面の図１０を拡大したものを、図４２に示す。軸径（直径）０．７ｍｍと０．９ｍｍの釣り針の軸３に、それぞれ、２号糸（前記「釣りの科学」によると直径０．２３５ｍｍ）と３号糸（同じく直径０．２８５ｍｍ）を捲いて結合した場合の、軸３そのものの断面積と、結合後の各位置断面積、及び、軸３の断面積（位置Ｕでの値）を基準とした、断面積比（率）の表とモデルを、図４３に示す。潰した耳２（２ａ・２ｂ）の断面積は、伸びを計算せずにそのままの断面積とし、モデル上は、そのまま円形状で、記号も軸３と表示する。結合釣り糸１０の末端Ｃ、及び、それを押えるターン部Ｃｗは、釣り糸１０の３本分で計算する。主に、軸３に釣り糸１０を捲回する事が原因で、最初に軸３に沿わせた下糸（最終的に、軸３に平行に固定されて出糸になるもの）の影響により、その上に捲回した糸が、部分的に、山型にふくれる影響を考慮しない単純計算でも、断面積は、軸３を基準として３０２％と２８７％に増加し、しかも周方向への捲き始めのＹ位置部分で急増するので、生オキアミをここを通そうとすれば引っ掛かって、無理をすれば、身や外殻が崩れたり潰れてしまう。従って、釣りのガイドブック等に、オキアミ２０の付け方として紹介されているのは、図２２〜２７に示す様に、釣り糸１０の結合部１５よりも耳２側迄は、オキアミ２５を通せてはいない。更に、ボイルオキアミの場合は、身のタンパク質分等は硬化・縮小しているので、生のオキアミよりも（固定性は良いが）、釣り針自体に通しにくく、当然、この結合部１５の捲き始めの部分から耳２側へは通せない。更に、図２４〜２７の様に、オキアミ２５を並列に多数個掛けると、体積が大きくなって、仕掛けが潮の流れの力を受け易くなるが、比較的口の小さな対象魚の口腔には入り込みにくくなる、或いは、口腔の奥まで入り込みにくくて、針先７が口腔の深い位置に掛かりにくく、従って、掛けてもバラシやすいという問題も発生する。
【００３３】同じく従来形の管付の耳２ｄの場合で、軸３の径を０．８ｍｍとし、その環部の線径は同じで、その環の内径を０．６ｍｍとして、釣り糸１０ａの３号を、図４４の様に結合した場合の、軸３そのものの断面積と、結合後の総（最大）断面積、及び、軸３を基準とした比の表とモデルを、図４５に示す。環部の内側の空白部も、そこを通ずる釣り糸１０も、全部占有断面積として加えてある。先と同じく単純計算でも、断面積は、軸３を基準として結合部のＹ位置で、３１９％まで急増し、環部Ｚ位置の３３６％よりは小さいが、モデル図で分かるように、軸３に全周釣り糸１０を捲くことの影響が、非常に大きい事を示している。
【００３４】これらの釣り糸１０結合部１５の断面積の急増の他に、餌の通し性を大きく阻害する要因として、釣り糸１０を結ぶ事によって発生する、末端の突き出し（図４２・図４４のＣ部）がある。最も一般的な、外掛け結び・内掛け結び・漁師結びは共に、釣り糸１０の末端Ｃが軸３の腰曲がり４側を向いており、例えば、オキアミ等の柔らかく裂け易い餌を使用する場合、この末端の突き出しＣが、軸３とは別体的に、オキアミ２５の身に食い込む事で、折り返しのある軸３と同じように、餌の耳２側への押し上げを著しく阻害する。影響を小さくしようとして突き出しＣを短く切ると、魚が掛かって出糸に負荷が掛かった際に、最終的に周回部の上を通って腰曲がり４側に戻る釣り糸１０の端部Ｃを、抑え込んでいる下糸の輪（釣り糸１０の腰曲がり４側折り返し部で、図４２・図４４の例で、Ｃｗ）から、そのＣが外れて、結び目が解けてしまう場合がある。実公Ｓ１２−１２９８・特開平８−２５６６３９においては、この末端を納める溝が提案されているが、実際に試してみると、釣りの現場で、特に癖のつきやすい釣り糸１０ａの末端を、溝にきちんと納める結びをするのは容易ではない。以上の結果から、釣り糸１０を軸３に全周捲いて結合する従来結合方式は、オキアミ２５等の通し性を大きく阻害するので、代案を検討する必要があり、その代案は、釣り糸１０での結合部１５の末端処理Ｃ・Ｃｗの向きの問題をも解決する必要が有る事がわかる。
【００３５】上記段落（００３２）〜（００３４）の、課題▲８▼に対する解析結果から、新しいオキアミ通し刺し専用の釣り針においては、柔らかくて崩れ易いオキアミ２５等での、通し性を向上させる手段として、結合部１５（釣り糸１０そのものを含む）の断面積が、大きくならない構成がもっとも好ましく、且つ、針先７側から耳２に向かって進行する釣り餌にとって、通過するべき部分の断面積が急増しない方（暫増する、又は、段階的に増加する）が好ましい。従って、最大断面積の増加は、従来よりも極力小さくする事、且つ、オキアミ２５等を耳２方向に通す際に、軸３に大きな段差が出来ない様に、平面、又は曲面のスロープ等を設けて断面積を暫増にしたり、段階的に断面積を増加させる必要がある事、且つ釣り糸１０の結合部１５の末端Ｃ・Ｃｗを、オキアミ２５等の通し刺しを阻害しない処理にする事、以上が最低解決すべき課題となる。
【００３６】図４６に、本願発明の釣り針の１実施例を示す。その釣り糸１０を結合した模式図を、図４７に示す。図４６の、フトコロ８と反対側にある金具を接合して設けた釣り糸を繋ぐ部分が、本願発明で新設した環状部３０である。耳２ｄの、略円環部の線径を０．６ｍｍ、その穴径を０．６ｍｍとし、軸３直径Ｄ＝０．８ｍｍ、環状部３０の略内径ｄ＝０．６ｍｍ、その線径を０．５ｍｍとして、釣り糸１０ａ（モノフィラメント）の３号糸を、図４７の様に、クリンチノットで結合した場合の表とモデルを図４８に、図４５と図４８の表の、軸３の断面積を基準（１００％）とした断面積比（率）の、位置毎の比較グラフを、図４９に示す。尚、本願発明のこの例では、管付の耳２ｄ部での断面積の急増は、通し性を阻害しやすいので、環部分の線径を小さくしている。釣り針自体が小さい領域では、この細径化は必要条件では無い。又、計算上、クリンチノットの撚りを入れた部分（Ｘ部）では、結合時に絞った際に、本線に対して撚った釣り糸１０ａが螺旋状に捲きつくので、釣り糸１０ａの３本分の直径の円断面積にした上で、行きと戻りの釣り糸１０ａの２本分を足してある。表やグラフで分かるように、断面積比が、従来に比べると９６ポイントも小さくなっているし、Ｊ部の効果でより暫増的になり、又、環の線径を細くして、その断面積（Ｚ部）を減らしているので、従来よりも遥かにオキアミ２５を通し易くなって、耳２ｄをも越える通し刺しが可能になっている。
【００３７】次に、軸３の直径０．７ｍｍの釣り針の、軸端部の径を０．４ｍｍまで細くして、２号糸を２回捲き可能な、内径相当ｄ＝０．５ｍｍの環状部３０を設け、その軸３部のフトコロ８と反対側を、０．２５ｍｍ削除してから、厚みが０．２５ｍｍの耳２ａタイプの板を接合した、図５０の様な釣り針に、図５１の様に、クリンチノットで結合した場合の、結合部１５断面積等の表とモデルを図５２に、図４３の軸３径０．７ｍｍで２号糸の場合の断面積比との比較グラフを、図５３に示す。最大部（Ｚ部）での断面積比は２２８％となり、従来に比べる７４ポイント小さくなって、オキアミ２５等を通し易くなっている。
【００３８】次に、同様に、軸３直径Ｄを０．９ｍｍとし、図５４の様に、環状部３０の線径を０．５ｍｍとし、３号糸を２回捲き可能な、内径相当ｄ＝０．６ｍｍの環状部３０とし、その軸３部のフトコロ８と反対側を、０．３ｍｍ削除して、厚みが０．３ｍｍの耳２ａを接合した釣り針に、図５５の様に、３号の釣り糸１０ａをクリンチノットで結合した場合の、表とモデル、及び図４３との比較グラフを、図５６に示す。断面積比が、従来に比べると８２ポイントも小さくなって、オキアミ２５等を通し易くなっている。
【００３９】上記の３例の様に、軸３部やその末端に設けた環状部３０を利用して、クリンチノット等で、主に、軸３に縦（平行）に結合する事で、実質の断面積増加率が大きく低下し、且つ、環状部３０・結合部１５側のみ断面積は増加して、その部分以外はガイドとして機能出来、且つ、断面積上のスロープを作るＪ部の効果とも合わさって、非常にオキアミの通し刺しが行い易くなる。
【００４０】尚、以上の各比較グラフの、耳２に向かう経路（矢印が沿った線）の断面積比が、結合部１５が無い位置でも元の１００％に戻らない部分は、釣り糸１０（出糸）の断面積の影響を示している。又、従来方式・本願発明で経路の線が曲線化している部分は、釣り糸１０そのものの曲面の影響を表わしている。グラフ化の都合で、釣り糸１０の半径相当の断面積比付近までは、直角の段差相当表記とし、通し性を大きく阻害する、周回する釣り糸１０と軸３との隅部（空隙）の影響の計算・視覚化は出来ていないが、その影響は、基本的に本願発明には関係ないので、影響する事が無い。
【００４１】尚、グラフで示した従来結合方式のＣ及びＣｗの断面積は、グラフ上では大きくないが、折り返しや刺し針と同じく、Ｃが軸３とは独立的に突き出していて、オキアミの身に食い込んでしまうで、影響は非常に大きい。本願発明では、数値で例証した断面積増加を抑える効果の他に、結合した釣り糸１０の末端Ｃが、釣り糸１０本線（釣り人・出糸）側、又は、結合部１５の側方を向くので、餌通しの阻害要因として影響が小さく、かえってＣを長目に取る事によって、本願発明の仕掛けの、各結合図やグラフでもわかる様に、餌ずれや脱落を防止する突き出しとして利用できる。しかし、このオキアミの戻り（ずれ）や脱落を防止できる機能が強すぎると、オキアミの取付時に、かえって不具合を生じる事もあり、取付・使用の説明書に注意書きが必要である。
これで、課題▲８▼は解決となる。
【００４２】課題▲９▼については、環状部３０と耳２（２ａ・２ｂ・２ｃ・２ｄ）が、通し刺し（最後の１個は、通し刺し又は縫い刺し）したオキアミ餌の、餌止めとして作用するので、軸３に設けた小さなケンや凹凸等よりも効果的に、オキアミ餌の脱落やずれを防止出来る。この場合、本願発明では、従来の石鯛釣り用釣り針の様に、硬い貝類等の餌は使わないので、穴サラエの耳２ｃタイプでも、ある程度大きな幅に潰して製作して、釣り糸１０の受け面を作る事の方が重要である。オキアミは柔らかいので、手で千切ったりして、後述する前処理を施せば、大きな断面積や幅用に細工出来、大きな幅の耳２を通過させる事自体が、固定性を良くするポイントにもなる。これは、課題▲８▼の解決によって可能となったものである。
これで、課題▲９▼は解決となる。
【００４３】課題▲１０▼、▲１１▼、▲１２▼については、課題▲８▼の解決によって、釣り糸１０の結合部・耳２・隠蔽を要する仕掛け部分を、オキアミ２５・２７で隠す事が可能となり、取り付け出来る体積が大きくなる事で、魚に対するアピール性も向上した。又、直列に多数個取り付けしている事で、餌の吸込み性が良くなった。その請求項に共通する本願発明の仕掛けへの取り付け・使用方法について解説する。
【００４４】図２０に示す様に、頭胸甲２０ｅから尻尾（尾節２０ｈ・副棘２０ｉ・尾肢２０ｊ）までの間に、腹節２０ｎ形状部が６箇所ある内、少なくとも肛門前棘２０ｋ（頭胸甲２０ｅ側から６節目の腹節２０ｎ形状部）の途中か、又は、その５節目との継ぎ目等から千切り、又は、切り取らないと、挿し込み部の径が小さすぎて、通し刺しがうまく出来ないので、図２１のように切断し、これを、前処理した、頭胸部２０ｆ（一連の眼２０ａ・鰓２０ｄ・胸脚２０ｍ等含む）付の、オキアミ２５とする。この際、後述する様に、釣針に対して一定以下の長さでないと、取付・使用出来ないので、注意を要する。これを２個直列に通し刺しした例を、図５７に示す。先に通したオキアミ２５は、少なくとも釣り針の耳２よりも釣り糸１０側（上側）に、腹部（腹節２０ｎ全体、或いは、その一部でも良い）が位置するまでは押し上げ、耳２及び結合部１５（環状部３０も含む）が、完全にオキアミ２５で隠れるようにする必要がある。この際の要領としては、図５８に示す様に、右利きの場合、従来同様に、耳２側を破線で示す右手の指で持って、左手の指（図示しない）で把持したオキアミ２５を、先曲がり５が露出する迄、釣り針で通し刺しする。次に、図５９の様に、実線で示す左手の指で先曲がり５−針先７間を保持し、オキアミ２５全体を右手の指（図示しない）で軽く挟んで、再び耳２・結合部１５を持つのに邪魔にならない位置まで、結合部１５と耳２を通じてから、釣り糸１０上をスライドさせる。釣り針の全体がオキアミ２５から露出したら、再度、図６０に示す様に、破線で示す右手の指で耳２側を持って、同様に、２個目のオキアミ２５を先曲がり５まで通し刺し、又は、縫い刺しする。最後の１個（この場合、２個目）は、結合部１５を越えても、耳２より上の本線迄は通さないので、固定性を考えると、縫い刺しも可能である。最終的には、針先７・アゴ６と先曲がり５部分は、従来と同様に掛かりを良くする為に、オキアミ２５から必ず突き出しておきたいので、左手の指で、再度先曲がり５−針先７間を保持し、オキアミ２５全体を、右手の指で軽く挟んで、この場合、２個目の、最後に針先７に通じた部分が、腰曲がり４まで達する様に、右手の指で位置決めする（図示しない）。最後に、図６１のように、最初に通じたオキアミ２５が通じてある部分より上の、釣り糸１０を、左手の指で掴んで、先に通したオキアミ２５を、最後に通じたオキアミ２５と協働して結合部１５や耳２等を隠せる適切な位置まで、右手の指で引き降ろす様にすれば良い。餌の動き（折れ曲り）を良くする為には、耳２と釣り糸１０本線の境界と、オキアミ２５同士の境界を一致させる様に、位置決めすれば更に良い。以上の要領でわかる様に、耳２から先曲がり５迄の、部分長さよりも長すぎるオキアミ２５では、手指の持ち替えが出来ず、実際には取付・使用出来ない。この場合の長さとは、取付可能な直径と構造を持つ部分であって、細かいひげ・触腕・脚等は、常識上含まない。短いオキアミ２５を沢山取り付ける事は、手間が掛かるだけで問題がないが、その場合も、最初の把持場所である結合部１５や耳２を隠す為には、持ち替えは必須である。但し、結合部１５から針先７付近迄の部分長さの、半分以下のオキアミ２５、又は、該部分長さが、オキアミ２５の２倍以上ある釣り針での場合は、釣り針部の持ち替えをしないでも、２個の通し刺しが可能となる。この持ち替えや引き降ろしを必要としない、結合部１５付近から針先７までの間に、２個以上取り付ける使用方法は従来と変わりないので、当然請求項から外れている。適切な長さに短かく前処理した、或いは必要に小さいサイズの、オキアミ２５を使用するので、釣り針近辺の仕掛け全体をカバーするのに、１個ではカバーしにくいから、２個以上の複数使用と直列での取付を請求するのは、理由がここにある。請求項にある適切な前処理（長さ）もこの取付方法の場合は欠かす事が出来ない。オキアミ２５を通す（仮置きする）釣り糸１０側は、長さはいくらでも良いので、使用個数の、上限側は必要がない。オキアミ２５の取付する向きについては、ランダムでもかまわない。又、理由を後述する耳２自体が長い事は、この取り付け作業をやり易くするので、使用方法からも合理的となる。従来から使用されている、オキアミより小型のアミ類（オキアミとは、科と目が異なる）を刺し餌、いわゆるサシアミとして利用する場合は、小型である為に釣り針に直列に（針先７から、耳２付近までの全長に沿って）、２個程度取り付ける場合があったが、オキアミよりも外殻が柔らかく、釣り糸１０の全周捲きの結合部を越えてはとても通せない事で、直列といっても、本願と同列のものでは無かった。これは、釣り針１の餌を取り付け可能な長さに比較して、半分以下の小さいオキアミやエビ等の図例でも同じである。従って、この本願発明の、仕掛けのオキアミの取り付け・使用方法は、途中で持ち手を替える事、最後の引き降ろしを必要とする事や、オキアミを適切な長さにする前処理要領も含めて、本願発明の使用において、先に述べた様に、必要不可欠のものであるから、取扱説明書に必ず詳述する必要がある。尚、試行の結果から、結合部の余りＣ部については、オキアミ２５の戻りを防止する機能が強くて、あまり長くし過ぎると、上記の先に通じたオキアミ２５の引き降ろしの作業がやりにくくなるので、注意が必要である。尚、この図５７の取り付け・使用方法には、魚が最も好む、オキアミ２０の頭胸部２０ｆや眼２０ａの部分が多数取りつけられる、図２６の房掛けと同等の利点があって、且つ、同取付・使用方法よりも時間は掛かるが、より脱落しにくく、直列である事で、口腔により入り込み易いという特徴がある。尚、実際に魚を釣り上げた際に、釣り針や仕掛けに、投入前に仕掛けに直列に通しておいたオキアミ２５は殆ど脱落している事が多く、外殻も含めて柔らかく脱落し易い事が、掛かり後以降の仕掛けの挙動に問題を発生せず、又、再度の投入（手返し）にもなんら問題が発生しない事が分かっている。
【００４５】釣り針の軸３径が大きい場合、或いは、使用するオキアミのサイズが小さい事で、通し刺しがやりにくい場合等は、オキアミ２０はその体構造上、腹部の頭胸甲２０ｅ側寄りの腹節２０ｎが、直径がより大きいので、図６２の様に、頭胸部２０ｆ寄りで切断してから、付ければよい。この際の原則として、頭胸甲２０ｅの次に直径の大きい、尻尾側への次の節（第一腹節２０ｇ）は、少なくとも一部は残して使用する。これは、頭胸部２０ｆ中の脳・内蔵等の流出を防ぐ栓の役目を、第一腹節２０ｇにさせ、且つ、前記の脳や内蔵等よりもしっかりしている身（筋肉）の入っている、第一腹節２０ｇを使用する事が、釣り針に対するオキアミ２５の固定性を良くするからである。
【００４６】別の取付方法としては、図６３の様に、先の尻尾と頭胸部２０ｆ等を取り去って、腹部（腹節２０ｎの集まり）のみにしたものを、オキアミ２７とし、少なくとも２個以上通し刺しにし、最も後から取り付けたオキアミ２７の、最後に通じた部分を、必ず、釣り針の腰曲がり４まで、通し刺し、又は、縫い刺しする様にする。前処理での適切な長さと、途中での持ち替えや、最後のオキアミ２７より上の、釣り糸１０側に仮置きした分は、引き降ろし等を必要とする、取り付け（使用）方法は、オキアミ２５だけの場合と同じである。尚、この取付方法には、最もしっかりしている、オキアミの腹部のみを取りつけるので、脱落やずれに最も強く、深海での釣りや、遠投しての釣りに適しているという特徴がある。又、オキアミ２５を、図６２の様に切って使用する場合の端材も、その長さ・太さが適切であれば、当然使用可能である。この取付方法の場合も、オキアミ２７の取り付ける向きは、ランダムでかまわない。
【００４７】或いは、この腹部のみのオキアミ２７と、頭胸部付のオキアミ２５の組み合わせで、図６４の様に、多数個を通し刺しにしても良い。オキアミ２５・２７の向きや順序は、ランダムでもかまわないが、最も後から取り付けたオキアミ２５、或いは、オキアミ２７の、最後に針先７に通じた部分を、釣り針の腰曲がり４まで、必ず通し刺し、又は、縫い刺しする様にする。前処理での適切な長さと、途中での持ち替えや、最後に通じたオキアミ２５・２７より上の、釣り糸１０側に仮置きした分は、引き降ろし等を必要とする取り付け（使用）方法は、図５７・図６３の場合と同様である。このオキアミ２５・２７の、ランダムで且つ直列での使用も、本願発明の仕掛けに独特のもので、釣り餌として供給される冷凍のオキアミブロックには、大きな捕獲・冷凍時の固まりから、各種の販売するサイズに、刃物で割断された際に、各切断面近辺に、半端なオキアミ２５・２７と近似したものが、多数出来てしまって、そのまま使用者に供給・販売されているので、その端材の有効利用が可能である。
【００４８】以上の様に、釣り針から釣り糸１０に達するまで、オキアミ２５・２７を複数個通し刺しにして掛けることで、結合部１５（環状部３０含む）や耳２及び釣り糸１０等の仕掛けの一部を、餌で覆い隠すことが出来、魚の警戒心を喚起させずに釣りが出来る。比較的短い釣り糸１０を付けた仕掛け（根付けのセット）の場合、その根付け毎、オキアミ２５・２７で覆い隠せば、効果的で、露見防止性が向上する。直列に腰曲がり４まで、ほぼ真っ直ぐに取り付けるから、体積が大きい割に、対象魚の口腔の入り口には、従来の並列複数取付より、遥かに入り込み易く、吸込み性が良くなる。又、魚が摂餌する際の吸引水流により、針先７が、従来よりも口腔の奥に入り込み、口唇切れでのバラシが少なくなるという利点もある。複数個取り付ける（２個以上いくらでも良い）ので、魚の目に付き易く出来てアピール性が上り、従来の釣り針・仕掛けでは、図２７の様に手間の掛かる、切れ込みを入れたナイロン１６等を挟んだ結合や、撓んで作業しにくい樹脂線材（ナイロン１６）へのオキアミ２５の取り付けをしなければ、対象とならなかった大型魚・深海魚等の釣りにも、十分に使用可能である。
これで、課題▲１０▼、▲１１▼、▲１２▼は解決となる。
【００４９】課題▲１３▼の重要なポイントとなるのは、主に撞木の耳２（２ａ・２ｂ）で、特に特許・実用新案の申請の多い、釣り糸１０（ハリス等）結びでの、糸の出し口の安定性（結合時或いは使用中の周方向に対する廻り止め性を含む）に関する改良である。これらにほぼ共通するのは、少なくとも軸３のフトコロ８側の一部に、平面や溝等を設けて結合後の接触面積（釣り糸１０の径方向の撓み性にたよるものを含む）や転動抵抗を大きくし、その効果で、結合時・使用時の周方向の廻り止めができるようにする事である。撞木の耳２（２ａ・２ｂ）の釣り針では、釣り糸１０本線の出し口が、耳２のフトコロ８側正面付近に無い場合（フトコロ８側から見て軸３の左右や後側に釣り糸１０の出し口がある場合）、少なくとも手前合わせの魚に対する掛かりが非常に悪くて、釣れる率がかなり低くなるのは経験的事実であり、その根本原因の理解・解析と解決が最重要な課題となる。
【００５０】図６５の様に、釣り糸１０を略垂直にした状態で、撞木の耳２（２ａ・２ｂ）を持つ釣り針１は、その基幹である軸３を垂直にして立っているものとする。魚が餌付の釣り針を摂餌しようと、周囲の水ごと吸引する（挙動の解説の為、餌の図示を省略する）と、最初に、釣り針は、魚が吸込む局部的な水流に乗って、釣り糸１０の結合部１５（出し口）を支点として、図６６の様に、釣り針全体が針先７方向へ反時計廻りにピッチング回転し、針先７が魚の口腔に刺さろうとする。この釣り針の挙動は、先の「釣りの科学」にも解説されている。回転した釣り針の針先７は、口腔４０に突き当って接点が出来る。「釣りの科学」では、この時点で、針先７が口腔４０に刺さるとあるが、海魚の多くは、河や湖沼の魚より、口唇や口腔４０内壁が硬いものも多く、ピッチングの慣性力程度では刺さらず、ある程度刺さるにも、更に釣り糸１０で引く力が必要である。接点が出来て、フリーだった釣り針の針先７が固定されると、海流による釣り糸１０の張力や、釣り竿の力、及び魚信を感知した釣り人が合わせをしようとする力が釣り糸１０を引いて、針先７を更に口腔に食い込ませて刺さろうとする。この時、釣り針の姿勢は、図６７の釣り針側の矢印の様に、吸込み時とは逆に、時計廻りにピッチング回転しようとする。この場合の支点（固定点）は、針先７と魚の口腔との接点であり、この動きは、張っていく釣り糸１０の延長線が支点に一致しようとする、図６７の釣り糸１０側矢印で示す、釣り糸１０の力学的な動きに伴うもので、釣り糸１０の力を利用して釣り針を刺す以上、必ず発生する不可避の事象である。その拡大図を、図６８に示す。この回転モーメントに対抗し、釣り針の姿勢を維持・制御しようとする力は、釣り糸１０がその張力で、耳２の端部と釣り糸１０の接触点Ａを押し返す力ｆと、取り付けた釣り糸１０の接続点Ｂから、耳２との接触点Ａまでの距離ＡＢの積の回転モーメントとして得られる。従って、平たく潰した耳２（２ａ・２ｂ）が、釣り糸１０を取り付けた点Ｂにたいして針先７（或いは、フトコロ８）と反対側にあれば、掛かりの際に釣り針の姿勢が、ｆ×ＡＢの回転モーメントで限定（制御）されて、拡大図６８の向きよりも時計廻りにピッチング回転しにくくなり、且つ左右にぐらつく（ローリング回転する）ことも少なく、テンションが充分であってうまくバランスが取れれば、ピッチング回転は止まり、針先７の突入姿勢が安定する。釣り糸１０の張りが弱い場合でも、最終的には、釣り糸１０の延長線上に針先７が一致する所でピッチング回転は止まる。この過程の途中での、姿勢の制御をするモーメントの中心は、テンションによって固定されたこの系内のＢ点であり、式から分かるように、釣り糸１０のテンションによる力ｆが強い程、又、距離ＡＢが大きい程に強くなる。但し、この制御モーメントが、発生する条件としては、Ａ点は、釣り糸１０の伸長方向にはフリー（ＡＢ間は、軸３や耳２への固定拘束はなしで、ｆは釣り糸１０のテンションに比例可能）で、且つ、当然ＡＢは正の数でなければならない。Ａが固定点（＝Ｂ）である事は、テンションにより発生する力がＡ点にしか作用しないので、姿勢拘束力が無い状態になる。又、Ａ点の拘束が通常���ないから、釣り針は、水流に乗って反時計廻りにピッチングし易く、魚の口腔にスムーズに入り込む事が出来るとも考えられる。以上の様に、釣り針の突入姿勢が制御された（釣り糸１０の力で、釣り針の姿勢を拘束した状態）で、釣り人が釣り糸１０を更につよく張る合わせを入れて、口腔４０に深く針先７を刺したり、魚が釣り餌中の硬い釣り針や針先７による異物感、釣り糸１０につながれて動きが制限される違和感を感じて下降すれば、魚の口腔４０に針先７がしっかり食い込んで（向こう合わせで）、十分に捕獲が可能となる。
【００５１】糸の出し口が、フトコロ８と反対側や軸３の側方にある場合は、Ｂが後ろや側方に有る事で、Ａが存在できないので、結果として、距離ＡＢもｆも０となってしまい、釣り糸１０が耳２を介して行う、針先７突入の姿勢制御はなされない。図６９（フトコロ８と反対側に釣り糸１０の出し口がある場合）に示す様に、図６８の姿勢よりも更に（同じく釣り針は、釣り糸１０の延長線上に針先７が一致するまでは）矢印の方へピッチング回転してしまい、ローリング回転の制御もなされない。こうなると、異物感・違和感を感じて、下降して逃れようと徐々に下を向く魚の口腔の角度ともあいまって、口腔に直角が最適である、針先７の突入角度ｐが、図６８の例よりも大きくなりすぎ、且つ、横方向へ釣り針がぐらついたり、滑ってずれたりして刺さりにくく、釣り糸１０を引いても、針先７が魚の口腔４０内壁を滑る、又は、釣り針で魚を持ち上げるのみで、合わせの突き刺しは出来にくい。これは、魚が動く向こう合わせ時も、同じく針先７が刺さりにくくなる。
【００５２】この状態を、角度が検算しやすい別の模式図を用いて説明する。図７０の様な寸法の釣り針を仮定する。耳２の平面の軸３との交差角度Ｔを１５度とし、耳２と軸３の交点（ここをＢ点と仮定する）から、湾曲部（腰曲がり４から先曲がり５の内側）までの距離を２０ｍｍとし、フトコロ８寸法は１０ｍｍ、針先７から先曲がり５までのいわゆるフトコロ８の深さを１０ｍｍとし、軸３の直径は１ｍｍとし、耳２の長さを３ｍｍとした、先曲がり５−針先７までの内側の線が軸３と平行な、図７０の釣り針に、Ｂ点から垂直上方に、釣り糸１０が力Ｓ（２点鎖線で示す）を加える。釣り糸１０、及び、魚の口腔４０・４１は省略する。針先７が魚の口腔内壁に接して固定点となり、釣り糸１０の力Ｓで、針先７を中心に耳２側が時計廻りにピッチング回転し、回転角度が１５度に達すると、図７１の様に、Ｓの線が示す釣り糸１０が、耳２の末端と接してＡ点が出来、釣り糸１０が耳２を押し返す力ｆは、この時点から発生する。この状態では、先曲がり５−針先７間の内側の線は、水平に対して７５度（垂直に対して１５度）の角度を持ち、釣り糸１０の力Ｓは、有効に針先７に伝わる。もし針先７が魚の口腔に十分刺さらず、更に釣り針が回転していくと、最終的に、釣り糸１０の延長線が針先７に一致して、図７２の状態になり、この時の先曲がり５から針先７間の線の水平からの角度は約５０度（垂直から４０度）となる。釣り糸１０の張る力Ｓの成分の大半は、針先７が口腔に刺さろうとする上向きに使える角度であり、釣り糸１０の張る力Ｓが、姿勢制御に有効に利用され始めるＡ点の接触開始（図３４）から、ここまでの間に、ある程度針先７が刺さったら、魚が吐出水流を利用して吐き出そうとしても簡単には出来ず、この魚信を元に合わせを入れれば、確実に魚が掛けられる。従って、釣り針のピッチングを止める（或いは遅らせる）には、釣り糸１０の張りから得られる力ｆが同じでも、距離ＡＢが大きくて、モーメントが大になる方が有利となる。又、距離ＡＢを伸ばす為に、耳２の長さを更に大きく取れば、図７２の姿勢時に、角度上も若干有利になる。
【００５３】次に、図７３の様に、同じ形状の釣り針に、フトコロ８と反対側に釣り糸１０を結合して、軸３端と耳２の境をＢ点とする。釣り糸１０の力Ｓで、針先７を中心として釣り針が時計廻りに（耳側に）ピッチング回転し、Ａもｆも生じずに、釣り糸１０の延長線上に針先７が一致する、図７４の状態まで回転すると、先曲がり５から針先７までの内側の線の、水平からの角度は約４１度（垂直から４９度）となり、釣り糸１０の張る力Ｓの大半は、ベクトル分散して横（水平）向きにそらされ、上向きに働く力が少なく刺さりにくくなる。
【００５４】上記角度の他に、注目するべき点としては、図７１から図７２に移行していく間は、作用し続ける力ｆのお陰で、状態の移行に時間が掛かり、この間は、釣り針が刺さりやすい角度である事である。図７３から図７４への移行の場合、抵抗する力ｆは無いので、刺さりにくい図７４の状態まで、一気に（比較的短時間・一瞬に）移行してしまう。この状態になると、刺さる事よりも、魚の口腔を釣り針のフトコロ８や軸３と反対側に押し返す方に、力の成分が多く向けられているので、魚にとっては、針先７の突入角度が直角に近い場合よりも、吐き出す水流に乗せての釣り針の吐出が容易であると考えられる。図６９でも説明した様に、魚の口腔内壁の角度が、入り口側が下を向く様になっていると、更に角度上不利になってしまうのは、言うまでもない。
【００５５】次の注目点は、図７１のハッチング部で示した、針先７−Ｂ点−Ａ点の三角形の存在で、３点が有ることで平面が確定し、釣り針が針先７−釣り糸１０を中心としたローリングを起こしにくく、ぐらつかないので、針先７が魚の口腔に刺さり易い状態である。確率的には、釣り針と魚の口腔は、通常は（各図の紙面を貫く垂直方向にも）傾いてしまうのが常態と考えられ、僅かな傾きでも、針先７は、基本的に支えの弱い（交差角度の大きい）側に滑って逃げようとする。このローリングと針先７角度は、合わさる事で針先７がぐらついたりずれたりする現象を誘発しやすいので、このローリングを止める要素は重要である。従って、ローリングを誘発しやすい結合方式を取る釣り針は全て、少なくとも口腔の硬い対象魚用としては、不安定であると推定される。又、針先７の角度については、Ａ点が発生した時点から、最終的に釣り糸１０の延長線上に針先７が一致して、ピッチング回転が止まるまでは、釣り糸１０の張る力Ｓが示す方向に対して、刺さりにくい大きな仰角や俯角とならない様にする。例えば、図６９例の針先７角度を基準０とすると、フトコロ８側に約３０度の間（耳２の角度に、針先７の方向を合わせて基準０とした場合で、±１５度程度）にして、掛かり時に釣り糸１０が引く方向を、良く考慮した設計にすれば好適である。
【００５６】以上の様に、針先７の先端の角度については、向こう合わせの対象魚用にて良く採用される、ネムリを掛ける、つまり軸３側に向けて、先端付近を曲げ込む事で対処は可能であるが、掛かりに有効な角度を維持している時間の延長と、ローリングを止めて刺さりを安定させる為には、釣り糸１０から得られるである力ｆと、３点目の接触点Ａの存在が、共に不可欠である。Ａ点が、掛かり始めの早い時点で生じる為には、角度Ｔが小さい方が有利となるが、段落（００１３）で説明した様に、小さくし過ぎると吊り下げ時等に問題が生じる事がある。又、図７１で分かる様に、ローリングを止めるこの三角形面積の大きさも、ＡＢの長さ、つまり、略耳２の端−結合点の長さによって大きく影響されるので、ＡＢの長さは、大きく取れる事が望ましい。
【００５７】又、釣り糸１０が持っている力Ｓが大きい事、例えば、釣り針及び釣り餌が、潮の流れによって受ける力や、餌及び釣り針の質量が大きい事で重力によって受ける力、つまり、いわゆる仕掛けの張りであるＳが大きい方が、掛かり始めの初期段階では、釣り糸１０と耳２の接触点Ａを押す力ｆが大きくなって、釣り針の掛かりがよくなる事が分かる。この仕掛けの張りが掛かりに重要である事は、特に、磯釣りの場合には顕著で常識である。従って、釣り針の重量は、大きい方が好ましく、餌で隠す等で、問題部分（特に、結合部１５と耳２）を目立たなく出来る限り、全体的、又は、部分的にでも太くした方が良い。又、合わせの際の力もＳであるから、仕掛けの強度上、及び、対象魚の口唇の強度上、問題が無い限りにおいて、強くて速い方が良い。
【００５８】しかし、釣り針の重量を大きくしすぎると、撒き餌との、いわゆる同調が崩れ易いという問題が発生する。従って、対象魚の口腔に、問題なく入り込む限りにおいて、餌の体積を大きくする事で、潮や魚の吸込みの流れによって、釣り糸１０の張りを大きくする事が、運用上で、釣果を上げるポイントのひとつとなる。
【００５９】以上の様に、釣り糸１０の結合が良くない場合に、釣り針の掛かり途中の姿勢制御が悪くて、釣り針の針先７が、口腔に深くまで刺さらない僅かの時間の内に、魚が釣り餌に忍ばせた釣り針を吐出してしまえば、釣り餌はとられても、魚自体は釣れなくなる。尚、この現象は、そのメカニズム上、魚が釣り針付の餌を飲み込んで、例えば、釣り針が、図７５の様に、魚の口腔４０・４１内で寝た姿勢であっても、合わせや魚の移動で、軸３が釣り糸１０に引かれて口腔４０・４１の入り口まで引き出されて、釣り糸１０のテンションを元にして、針先７が口腔４０に刺さろうとする時点で、必ず発生すると推定される。従って全く同じ釣り針を使用していても、正しい釣り糸１０の出し口（出糸）の場合の、図６８（同図７０−７１）に比べて、出し口の良くない図６９（同図７４）の姿勢の場合は、初期の掛かりも、且つ、合わせ時の掛かりも悪く、且つ、吐出が容易だから、向こう合わせにはなり難く、当然魚は釣れなくなる。
【００６０】尚、図面を引けば分かるが、掛かり時にピッチングで回転する角度は、同じフトコロ８寸法なら、フトコロ８よりも上の軸３が長い程に小さくて済み、同じ全長なら、フトコロ８寸法が狭いほど小さくて済む。この角度が、掛かりに不利になるのは、フトコロ８とフトコロ８の深さが同程度、つまり、フトコロ８より下の湾曲が、正方形内に納まる程度の場合は、全高がその２倍程度以下の領域と考える。そして、フトコロ８よりも上の軸３の長さの割合が小さい程、ピッチングによる旋回角度の変化が大きくなる。フトコロ８より上の軸３が十分長い釣り針では、少なくとも角度上の不利は、発生しにくくなり、この様な長型の釣り針でも、結合が良くないと、やはり掛かりがかなり悪くなってしまうのは、ローリングと移行時間の所為と推定される。尚、軸３が長い方や、フトコロ８が狭い方が、針先７の角度上有利といっても、図７２の様な状態、つまり、釣り糸１０の延長線上に、針先７が一致するまでピッチングした際に、耳２側が魚の口唇の外側（顔面）に接触したり、フトコロ８が口唇そのものに嵌まり込んで固着すれば、驚いた魚に遁走されたり、針先７を刺す事自体が難しくなり、あまり餌を吸込まない魚もいるので、釣り針には、多くの対象魚用の基本形状とサイズがある。耳２の角度Ｔは、掛かり始めの姿勢制御上は、小さい方が有利であるが、掛かってからの魚との引き合いや吊り下げ上は、前述した様に、制限がある。又、耳２の角度制御機能が利用出来にくい、環の方向が図６と直交方向のルアー用のフック等は長尺であったり、フトコロ８自体は大きくとっても、相対的にフトコロ８を小さくする為に、軸３の上部側をフトコロ８側に曲げ込んで、そこにアイを付けたものが多い。又、この方向のアイタイプの釣り針を使用する釣りでは、向こう合わせでバイトして魚が釣り糸１０を引き始めたら、確実なフッキングの為には、ローリングや移行時間の害を避ける為に、強くて瞬間的な合わせをしっかり入れる操作が必要である。このアイタイプの釣り針も、図５０・図５４の例の様に、耳２を追加構成すれば、有用な餌釣り用に改良出来る。
【００６１】餌釣り用の、撞木の耳２（２ａ・２ｂ）の釣り針においては、使用中でも釣り糸１０の出し口がフトコロ８と反対側や、耳２では支えが出来ない程側方にまわったら、この釣れなくなる現象は発生してしまうので、釣り糸１０の出し口に関する特許・実用新案の提出が多い。
【００６２】魚は、水中では無重量であり、どんなに鋭く抵抗の少ない針先７を持つ釣り針であっても、釣り糸１０からの力が掛からなければ、口唇・口腔には貫通しない。しかし、水中であっても無慣性ではないので、鋭く釣り糸１０を引いて（又は、魚が高速で下降しようとして）、且つ、釣り針の姿勢が制御・拘束されていれば、硬い口腔の魚や口腔内の骨等に当たっている場合でも、ぐらつかずにしっかりと、釣り針の針先７を刺すことが出来る。魚釣りにおける合わせの作業は、釣果の大部分をも左右する重要な作業であって、その合わせの際の釣り針の姿勢は、当然非常に重要である。
【００６３】以上の様に、結合されている位置は僅かな違いであり、釣り針の姿勢の違いも最終的には大きくはないが、釣り糸１０がテンションによって真っ直ぐになろうとする力を、掛かり時の釣り針の途中姿勢制御と有効な移行時間の拡大に、しっかり利用出来る構造や結合が出来るかで、重要な合わせの姿勢や、その状態を維持する移行時間に違いが生じ、結果としての釣果に大きな差が出てしまう。従って、距離ＡＢが有る事は、掛かりや合わせが効くかの重要な要素であり、餌釣り用の釣り針の耳（タタキ・チモト・アイ等）の役割を、釣り針を釣り糸１０に結合する際の、周回糸の軸方向滑りを止める周長増大や結合の役割のみとするのは、掛かりの面から見ると誤りと考えられる。特に、軸長の比較的短いもの、或いは、比較的フトコロ８寸法の大きいもので、釣り針の端部付近に結合点が近い程悪影響が出る。
【００６４】この距離ＡＢが取れない（又は、距離ＡＢをとらないでも結合出来た）釣り針は、釣り針の吐出がうまく出来ないで走ったり反転して、特に合わせをしなくても、釣り針に勝手に深く掛かる、向こう合わせの魚が対象の場合以外では、釣果に重大な影響が受け、釣れにくくなる。確かに、管付の耳２ｄの釣り針の場合に図１７の様に結合すると、餌釣りで、餌は取られても魚が釣れにくいのは、この距離がない（支える部分Ａが存在出きない）為であり、図１８、及び、その結合部１５を拡大した、図７６の様に、フトコロ８側から、釣り糸１０を耳２ｄの穴を通じて、フトコロ８と反対側に通して結合すれば、釣り糸１０の後ろを環が支えて、図７６に示すＡ点がえられ、十分に有効な掛かり始めと合わせ時の働きが出来て釣れ易い。同様に、穴サラエの耳２ｃの、大物釣り用の釣り針類も、根付け方式の釣り糸１０の取り回し等も含めれば、釣り糸１０（出糸）の後ろに受け面を持つ結合を行って使用している場合が多い。
【００６５】以上の検討の結果から、掛かり性を重視する釣り針においては、針先７（或いはフトコロ８）側から見て、結合部１５の釣り糸１０の出し口（釣り糸１０の軸３への結合点Ｂ）の後ろ（フトコロ８・針先７と反対側）には、釣り糸１０のテンションを掛かり時の釣り針の途中の姿勢制御に活用する耳２（平面又は曲面又はその組合わせの面や、円環部分等を、フトコロ８側に面して持つもの・釣り糸１０を支えて接触点Ａの拠点となる部分）が配置される事、角度Ｔが適切な値で、少なくとも大き過ぎない事、掛かり時に釣り糸１０が引く方向に対して、針先７が大きな仰角とならない事、及び、少なくともある程度以上の、ＡＢ間距離が得られる事が必須と考察され、耳２の役割については、特許・実用新案の提出件数と、餌釣り用釣り針市場での撞木の耳２（２ａ・２ｂ）の普及実績、及び、管付の耳２ｄや穴サラエの耳２ｃの、餌釣り時の使用方法がそれを裏付けている。従って、掛かり始めの釣り針の姿勢を決める、耳２の長さ・角度Ｔ・幅等の全体形状や、結合部１５との位置関係、及び、針先７の向き等は、十分に検討して設計・製作しなければならない。又、餌の体積を大きくして、潮の流れで釣り糸１０の張りを強くする事が、使用方法上のポイントのひとつであり、先に解説した課題▲８▼の解決で、これは可能となっている。
【００６６】従って、有効な距離ＡＢ（釣り糸１０のテンションに比例する力を受けられる釣り針の２点）を大きくする事で、釣り糸１０のテンションが小さくても姿勢が安定し、針先７が刺さり易い角度・ローリング回転の停止・有効な角度の時間の伸長という状態が維持出来るようになるので、従来よりも掛かり性の改善が可能となる。図７７に示す様に、耳２から環状部３０が離せると、ローリングを止める三角形の大きさも増大させる事が出来る。従って、手前合わせの魚は勿論、向こう合わせ魚に対しても、更には、釣り糸１０の張りが比較的弱い状態でも、釣り針の姿勢制御が従来よりも良くなり、これに伴って、同じ軸３−針先７の太さの元でも、掛かり性が従来の釣り針よりも改善出来る事になる。
【００６７】環状部３０を設ける位置を示す領域図２８に示すように、フトコロ８側に釣り糸１０の結合部１５を持ってくる耳２（２ａ・２ｂ）の場合、図７８に示した、例えば、耳２（２ａ・２ｂ）の、軸３との境界Ｅ部から環状部３０までの距離Ｈが大きすぎると、今度は、掛かり時に、耳２が釣り糸１０を支えなくなるので、ある程度実験的に、位置の限度を決める必要がある。距離Ｈを決める、環状部３０の位置を、従来の周回結合方法での出糸の位置よりも、腰曲がり４側に若干下げられると、従来の釣り針の掛かり性をも若干向上させる、距離ＡＢを伸ばす改造が可能である。
【００６８】本願発明では、従来の使われ方とは異なり、図７９の様に、管付の耳２ｄの円環部のフトコロ８側の面を、撞木の耳２（２ａ・２ｂ）の、フトコロ８側の面と同じ役目として十分使う事が出来、歯が鋭い魚以外では、フトコロ８側正面を使う選択が可能である。この場合、他の潰した耳２（２ａ・２ｂ・２ｃ）の場合に必要な、周囲エッジの面取りが不要となり、潰した面の縁で、釣り糸１０を傷める問題は当然生じない。
【００６９】更に、耳２ｄでは、単純に丸い円環や長円の形状から、請求項５の様に、図８０〜図８２に示す、略扇形・略三角形・略連結円形、及び、その組合わせの形状等に変更して、オキアミ２５等の通し性を確保すると同時に、長手寸法を大きくとる事が出来る。更に、フトコロ８側から見て略扇形・略三角形の耳２ｄについては、図８３の様に、上面から見て、フトコロ８側に凹部が向くように曲げたものは、釣り糸１０の受け（納まり）が改善されるメリットが生じる。又、略楕円形・略連結円形等のものについては、図８４の様に、側面から見て、Ｇ部付近をＴよりも若干大きく、角度Ｔａまで追加曲げしたものについては、同じく耳２ｄの厚み方向の寸法が大きくなり、環状部３０からＧ部までを繋ぐ線に対して、この曲げ部が最高部になる事で、相対的にＧ部が低くなり、釣り糸１０の受けが改善されるメリットが生じる。
【００７０】以上の様に、本願発明では、軸３の、耳２近辺から腰曲がり４手前までの広い範囲に、対象魚・耳２の型式・結合方法等に合わせた、色々な形状の環状部３０を設けて、従来よりも通し性・掛かり性を向上させる事が出来る。その為、主たる負荷（合わせの際のショック荷重や、やり取り・釣り上げまでの引張り荷重）は、従来のものと異なり、軸３に設けた環状部３０にかかり、耳２（２ａ・２ｂ・２ｃ・２ｄ）各種そのものには掛からなくなる。そこで、請求項１に示した様に、耳２を別に製作して、接合するという従来に無い工法を取る事も可能となり、それで耳２形状の自由度をも向上させる事も出来る。この接合品のレイアウトは、既に示したものの他に、図８５〜８７に示したもの等が可能である。
【００７１】尚、従来の釣り針で、耳２が短く作られていたのは、オキアミ等の餌では隠せないので、この部分を目立たないように小さくしていたが、課題▲８▼の解決で、結合部１５がオキアミ２５等を通すので、基本的に、耳２（２ｄの線径の大きいものは、工夫次第）でもオキアミ２５等を通す事が出来、請求項２の様に、掛かりを良くする為の、耳２の長手サイズの変更が初めて可能となった。
これで、課題▲１３▼は解決となる。
【００７２】課題▲１４▼の結合部の切れ防止（課題▲５▼も同様）については、例えば、図４６の釣り針に、図８８に示す様に、特許２８４９２９８（権利消滅）を参考例として、環状部３０に２重にまいても良い。この各部断面積の数値と、図４３との比較グラフを、図８９に示す。釣り糸１０の各部が２重になって、切れ防止の効果が大きい割に、図４９のクリンチノットのグラフと比べても、部分的且つ僅かな断面積の増加で済み、切れ防止の効果を上げる事が出来る。この例でも示す様に、軸３のフトコロと反対側に釣り糸１０を通せるものについては、軸３を釣り糸１０の盾として利用する事が出来、歯の鋭い魚に対応する釣り針としても最適である。従来の管付の耳２ｄ、穴サラエの耳２ｃ共に、掛かり性を向上させる取回しの結合をしたものは、軸３のフトコロ８側正面に、出糸の固定をする周回糸の露出が有り、そこを歯で擦り切られると、結合部１５が解けていたが、この結合では、盾となる軸３分は確実に離れている為、この分有利である。又、環状部３０がフトコロ８側にある場合も、この２重捲きやチチワによる２重結合は、簡単に、通し性を阻害する事無く可能である。
【００７３】更に、歯が鋭い、又は、歯が頑丈で、釣り糸１０ａでは、本線ごと噛み切られやすい魚用には、図９０の様に、本願発明の釣り針の環状部３０に、ワイヤー１０ｃを結んで根付け部１９とし、その端部に設けた環１７に、使用時、或いは、仕掛けとしての製造時に、ポリアミド系の透明な釣り糸１０ａを結び付ければ良い。環１７側は、従来為されている様に、ワイヤー１０ｃを、図１９の首振り結合部１５ａの様に、２重に捲いて作製しても良い。
【００７４】図９１の様に、編み糸１０ｂを使用して、末端を結んで環１７を作り、その末端の糸のほつれた部分と、釣り糸１０ｂ本線を、接着剤で纏めてから固化させて、略逆円錐状の樹脂固め部１７ａとし、環部１７へのオキアミの通し性を向上させた根付け部１９付のものは、ワイヤー１５ｃに比べて、糸が柔軟で魚に違和感を与えず、しかも丈夫なので、特に推奨でき、この仕掛けであらゆる魚用の釣り針に展開出来る。これらは、環１７に釣り糸１０ａを結合して用いれば良い。樹脂固め部１７ａを設けた環１７は、他の釣り糸１０の仕掛けでも、他の耳２の釣り針の仕掛けでも、製作可能である。
【００７５】従来の釣り針の殆どは、使用する釣り糸１０の径を大きくする方向の自由度が高かったが、本願発明の弱点である、環状部３０の略内径ｄによる確実な限界を、強力な編み糸１０ｂや、同じくワイヤー１０ｃ等を利用した仕掛けが、補完してくれる。これらの不透明な、目立つ釣り糸１０（１０ｂ・１０ｃ等）使用の場合、餌の取付は、オキアミ２５・２７を直列に複数個通し刺しにして、根付け部１９の全部をオキアミ２５・２７で覆い隠すようにする。こうすれば、餌釣りでは、まず釣り針を忍ばせた餌を魚に食べさせる事が大前提であるが、眼が良く、警戒心も強く、鋭い歯を備えた魚でも、切られにくい編み糸１５ｂやワイヤー１５ｃで、根付けした仕掛けで釣る事が、何の問題もなく可能になる。以上の、切れ防止の改良は、課題▲８▼の解決によって、何の問題も生じずに可能となっている。
これで、課題▲１４▼、課題▲５▼は解決となる。
【００７６】請求項１について補足の説明をすると、軸３から、魚に刺さる針先７までの距離としてのフトコロ８が１箇所であることは、釣り餌としてのオキアミを、通し刺しにして、耳２を越えて釣り糸１０まで、少なくともその一部を通す為には必須であり、錘付（耳部の釣り糸１０用のガイド付属物等含む）・刺し針付・保持軸付等は、その通し刺し自体を阻害するので、除外している。折り返し付（サカサ鉤等）についても、同じく通し刺しを著しく阻害するので除外してある。
【００７７】請求項２の補足として、本願発明に関する、耳２（２ａ・２ｂ・２ｃ）の長手寸法の定義としては、図９２の様に、環状部３０よりも端部側に、略平面（釣り糸１０の受けの役目、部分的な溝や大きな凹曲面を含む）がある部分の、耳２の伸長方向に平行な長さは、釣り糸１０を受け止める部分として有効なので、全て含むものとする。耳２ｄについては、図９１の様に、環の合わせ目の最も軸３側部から、端部Ｇまでの長さとする。こうすれば、釣り糸１０を支えるという耳２の役目の長さが、きちんと含まれる。
【００７８】環状部３０の取り回しや設置部位の補足を行うと、図９４の様に、環状部３０を取付ける部分を、予め除去加工しておくと、断面積の増加を抑える効果があり、応力的に問題の無い範囲で行う事が出来る。環状部３０を構成する線材の断面は、異形、例えば、平たく潰す等も効果的である。線材を使用するのではなく、図１の様に、通し穴を持つ板状の環状部３０を接合する場合も、この除去加工を利用した方が通し性を向上させるのに有利である。環状部３０を線材で構成する場合、軸３に接合する脚部分を２本にして、図９５・図９６の様に取付ける事も出来る。取付ける脚部は、引張り強度と接合強度のみが問題であるが、釣り糸１０を結ぶ部分は、直径が小さいと釣り糸１０の結合強度に影響するので、図９７の様に、その部分のみ滑らかに太くすると更に好ましい。
【００７９】次に、釣り糸１０との結合方法、及び、仕掛けについて補足する。本願発明の釣り針は、誤って、従来の方式（外掛け結び・内掛け結び・漁師結び等）で、軸３に釣り糸１０を全周捲いて結合されたり、同じく、端部の耳２（２ｃ・２ｄ）の穴のみを利用して、絞り結びや首振り結合されれば、本来の性能は発揮できないので、その釣り針固有の、耳２のタイプや環状部３０、及び軸３の構造に合わせた、適切な結合方法や使用方法を、パッケージに明確に表示する必要がある。
【００８０】軸３の環状部３０部分では、その線径が軸３よりも小さい事が多く、釣り糸１０の曲率が小さくなって、例えばポリアミド系の釣り糸１０ａを使用した場合は、その弱点である、小さい曲率で捲かれた時の強度低下を補完できない（従来の釣り針の接続でも、軸３径に応じて同様の問題がある）ので、時間は掛かるが、強度優先の結合方法を示す。釣り糸１０を２回通せる環状部３０の場合の、図５１の釣り針に、図９８の様に、２回釣り糸１０を通し、その片側一重で、片側二重の緩く取り回した環に、直交周回する様に螺旋状に、更に２〜３回捲き、糸の端を、先の重環の釣り糸１０本線（釣り人）側を通してから、両側を絞って、図９９の結合部１５の様にする。この結び方は２重で強く、それほど時間も掛からないので、細い釣り糸１０ａ（透明ハリス等）を使う場合にも有利である。更に強度を上げるには、最も応力集中し易く、且つ、魚の口腔と接し易い、結合部１５の直上を強化するのが良く、予め釣り糸１０の端を長く残しておいて、本線を強く張った上で、土佐結び式に交互に捲きつけ方向を変えて、本線に数回から数十回捲きつけて端を切断し、図１００の編み付け部１８とする。曲率の小さな結合部１５は、２重になっており、魚の歯に触れ易い釣り針近傍の接続部分は、編みつけで保護出来る。時間は掛かるが、強度は十分にある結合方法である。本願発明の釣り針を、仕掛けとして、釣り糸１０と接続して販売する場合以外の、釣り針単独で販売する際の、パッケージ内に表示する使用方法としても、十分推奨出来る。
【発明の効果】
【００８１】本願発明の請求項１によって、ステップＩの結合において、課題▲１▼に対して、フトコロ８側正面の環状部３０から、或いは、耳２ｃ・２ｄの場合に可能な、フトコロ８と反対側に設けた環状部３０から、釣り糸１０（出糸）が軸３の周方向にずれる事はありえなくなった。従って、実登２５１９０５６・実登２５１４２０９・実登１７８７４９１・特許２５３５４３１・特許３０５５０８７・実登３０４７７６０・実登２５８８９９３と同等以上で、釣果の向上が可能となった。
【００８２】同じく、課題▲２▼に対して、周知性の高いクリンチノットやチチワ結びで、釣り針の結合が出来るので、結合の簡易化が達成できた。従って、実登３０１５０７７・実登３０１８１８５・実登２５８８１７７と同等以上で、作業の効率化が達成出来、釣果の向上が可能となった。
【００８３】同じく、課題▲３▼に対して、釣り糸１０の伸びによるすっぽ抜けが無くなった。従って、実登３０６２９５７・特許２８６９７２３と同等以上で、釣果の向上が可能となった。
【００８４】同じく、課題▲４▼に対して、結び難さや強度の劣化が無くなった。従って、特許３５４０２８４と同等以上で、釣果の向上が可能となった。
【００８５】同じく、課題▲７▼に対して、本願の耳２ｄにおいての環部への糸抜けは、合わせ部のロー付け・半田付け・溶接で簡易に可能であり、特に問題とはならない。
【００８６】同じく、ステップＩＩの餌付けにおいて、課題▲８▼に対して、オキアミ２５・２７の、図５７・図６３・図６４の様な、直列多数個掛けが、正しい取付・使用方法を守れば、簡単に短時間で、誰でも、腰曲がり４から上に取付出来る様になった。従って、実登２５８８９９３・実登２５８８１７７と同等以上で、釣果の向上が可能となった。
【００８７】同じく、ステップＩＩＩの餌の投入において、課題▲９▼に対して、耳２各種の端部Ｇや釣り糸１０の余りＣ部等を利用して、オキアミのずれや脱落が防止出来る様になった。従って、実登３０５４３１８・実登３０５６５６１・実登３００２１１４・特許２９１７１３７・と同等以上で、釣果の向上が可能となった。
【００８８】同じく、ステップＩＶの露見防止において、課題▲１０▼に対して、複数のオキアミ２５・２７で結合部１５・耳２・仕掛けの一部を隠す事が、正しい取付・使用方法を守れば、簡単に短時間で誰でも可能となった。従って、実登３０９７９９０・特許３３０６６２３・実登３０１１４３７・実登３０１８０５２・特許２７１７６１９と同等以上で、釣果の向上が可能となった。
【００８９】同じく、ステップＩＶのアピールにおいて、課題▲１１▼に対して、多数個取り付け可能な事で、図２４〜２７の取り付け方と同等以上で、大型魚にもオキアミ２５・２７の複数個の通し刺しで対応出来、釣果の向上が可能となった。
【００９０】同じく、ステップＶの吸込み強化において、課題▲１２▼に対して、直列に取り付けして、複数付けている割には縦横の比率が大きく出来、魚の口腔にスムーズに口腔のより奥まで入り込み易く、体積も増加している事で、餌が吸込み易くなり、口切れによるバラシが少なくなった。従って、特許３５１０３３０・特許３４４８５３８・実登３０９５８２７と同等以上で、釣果の向上が可能となった。
【００９１】同じく、ステップＶＩの掛かりにおいて、課題▲１３▼に対して、直列に多数個取付けるオキアミ２５・２７に対する潮の流れによって、釣り糸１０の張りが強く出来て掛かり性の向上が出来、更に、ＡＢ距離を大きく設定したものでは、更に向上させる事が可能となった。従って、図２４〜２７の取り付け方と同等以上で、釣果の向上が可能となった。
【００９２】同じく、ステップＶＩＩの取り込みにおいて、課題▲１４▼に対して、釣り糸１０の２重化が簡単に可能であり、２重部の次（上側）に、土佐結び式の編みつけ部１８を作って、釣り糸１０本線を保護するといった各細工が、通し性を阻害せずに、簡単に出来、釣り糸１０各種の強度が、充分に引き出せる様になった。編み糸１０ｂ・ワイヤー１０ｃ等による、比較的短い根付け部１９でも、その全体を、耳２を通してきたオキアミ２５・２７で覆いかくせるようになり、歯が鋭い魚や、歯が頑丈で、透明樹脂製モノフィラメント等の釣り糸１０ａ単糸では、擦り切ったり噛み切ってしまう魚を釣る作業上、取り替えを頻繁にしなくて済むようになった。丈夫なポリエチレン系編み等の、新素材の釣り糸１０が、魚に警戒心を与える等の問題なく使えるので、職漁の作業において、釣り糸１０の傷等にあまり気を遣わずに作業が継続でき、更に、釣り針の喪失も少なく出来、編み糸１５ｂ等の積極的利用をも広げる事が可能になった。従って、特許２７９４５５６と同等以上で、釣果の向上が可能となった。
【００９３】同じく、その他の効果として、釣り餌として供給されるオキアミ２０の、半端な切断端材等でも、取付が可能な部分は、脱落しにくい通し刺しや、最後の縫い刺しで、十分に利用できるので、資源の有効利用が可能となった。従って、図２２〜２７の、従来の使用方法・取付方に対しては、いずれにも優り、餌のコストが低減出来る様になった。
【００９４】同じく、その他の効果として、釣り糸１０を、螺旋状に多数回捲かないので、使用する釣り糸１０の量を減らす結び方（釣り針を取り替える際の、釣り糸１０の使用量を削減する結合方法）が選択できて、釣り糸１０ａの、特に高強度のハリスは高価なので、使用量が削減できて、コストダウンが可能となった。従って、従来の漁師結びと同等以上で、実登２５８８１７７には劣るが、実用性の高い釣り針と仕掛けが可能となり、生産コストの低減が出来た。
【００９５】同じく、その他の効果として、従来の軸３に捲いての結合よりも、短時間で、すっぽ抜けする事が無い、シュアな各種結合が出来るので、主に、潮の流れ具合で決まる魚の釣れる時間、いわゆる時合いは短いから、結合時間の短縮とその確実性は、職漁の作業上非常に大きな効果があり、漁師結びや実登２５８８１７７・特許２８４９２９８と同等以上で、釣果の向上が可能となった。
【００９６】同じく、その他の効果として、釣り糸１０を、軸３に全周捲かないで結合出来るので、耳２部にて周長を急激に拡大する必要が無くなり、肉厚の変化を緩やかに出来るので、焼き割れ等が発生しにくく、不良率が下がる事で、コストを低減出来る釣り針が供給できるので、漁業従事者に有利な、安価な製造が可能となった。
【００９７】同じく、その他の効果として、合わせ時や締込み時の荷重が、耳２ではなく、軸３に設けた環状部３０に掛かるので、釣り糸１０を支える役目だけになった、各種形状の耳２（２ａ・２ｂ・２ｃ・２ｄ）を別作して接合する事が、全く問題なく可能となり、釣り針素材の寸法に左右されない製造が可能となった。従って、形状・寸法・材質を目的に最適化した釣り針が可能となり、この点では、従来とは比べるものはなく、優れた釣り針が可能となった。
【００９８】同じく、その他の効果として、重量当たり、又は個体数当たりの単価が、生餌（エビ・蟹等や、虫餌類等）や、魚やイカ類等の身餌類よりも小さく、且つ、供給も安定している事で、漁業従事者にとって最も使いやすい釣り餌であるオキアミ２０が、取付易く、非常に外れにくく、収率良く、且つ、掛かり性も向上出来て、従来よりも他魚種まで展開出来る使用方法と、それに適した仕掛けが作れるので、従来よりも低コストで、且つ、高効率の釣り漁業が出来る様になった。
以上の様に、請求項１によって、従来よりも総合的に優れた、オキアミ通し刺し専用の釣り針、その新しい仕掛け・取付使用方法が可能となった。
【００９９】本願発明の請求項２によって、ステップＶＩの掛かり性において、課題▲１３▼に対して、距離ＡＢがより大きくとれる事で、掛かり時の釣り針のピッチング方向・ローリング方向の姿勢が安定し、針先７がぐらつかない様に出来る事で、より掛かり性の良い、オキアミ通し刺し専用の釣り針が可能となった。従って、魚の釣り針の吐出率が低下し、逸走しようとして勝手に深く掛かる、完全な向こう合わせが多くなり、作業負荷が低減したので、釣果の向上が楽になった。
【０１００】本願発明の請求項３によって、ステップＩの傷防止において、課題▲６▼にたいして、同じ姿勢制御モーメント発生時に、耳２端部Ｇの、釣り糸１０との接触点Ａが、釣り糸１０に与える負荷（反作用−ｆ）が力学上低減できることで、釣り糸１０が合わせ切れしにくく、従って、釣り糸１０や釣り針の損失が低減して、コストダウン出来て、且つ、実釣時間の割合が向上する事で、実登３０１８７０２と同等で、釣果が向上出来る様になった。
【０１０１】本願発明の請求項４によって、ステップＩの傷防止において、課題▲６▼にたいして、耳２ｃの厚みに制限されない大きな曲率のＲを設ける事が可能となり、耳２ｃの穴を通過する釣り糸１０に与える傷や負荷が低減出来る様になった。従って、釣り糸１０や釣り針の損失が低減して、コストダウンが出来て、且つ、実釣時間の割合が向上する事で、実登３０１８７０２と同等で、釣果が向上出来る様になった。
【０１０２】本願発明の請求項５によって、ステップＩＩの通し性・ステップＶＩの掛かり性において、課題▲８▼・▲１３▼にたいして、管付の耳２ｄにおいても、オキアミ２５・２７の通し性が良く、且つ、独特の形状で、より距離ＡＢの大きくて掛かり性の良い、オキアミ通し刺し専用の釣り針が可能となった。従って、実登２５８８９９３・実登２５８８１７７と同等以上で、釣果の向上が可能となった。
【０１０３】本願発明の請求項６によって、釣り糸１０のガイド性・落ち着きの良い、オキアミ通し刺し専用の釣り針が可能となった。
【０１０４】その他の効果として、釣り糸１０と結合した仕掛けについては、釣り糸１０結合の困難な手の不自由な人や、目の悪くて環状部３０に釣り糸１０がうまく通せない人でも、本願発明の特徴をもった各種の仕掛けが利用可能となった。
【発明を実施するための最良の形態】
【０１０５】焼きなまして、一旦硬度を低下させ、展延性を増加させた軸３の端部を、プレス機で平たく潰して耳２（２ａ・２ｂ・２ｃ）を成形し、又は、端部を曲げて耳２ｄを形成して、フトコロ８の方向を確定し、以後これを向きの正とする。次に、必要に応じて、放電加工・レーザー加工等の非接触加工、又は、ドリル等による機械的加工で、穴サラエの耳２ｃの穴や、必要な場合は、環状部３０を軸３に取付ける穴を加工し、針先７側先端より適切な距離に、鏨状の刃物を斜めに打ち込んでから起こし、アゴ６（モドシ・カエシ・バーブ）の原形を作る。アゴ６や針先７を、研磨して尖らせた後、全体を魚種・サイズに合わせて、釣り針１の形に曲げ、焼き入れ・焼戻しして、硬度と靭性を持たせる。軸３と耳２部の厚み差が大きすぎると、焼き入れ時の冷却速度の差で、クラックを生じやすいので、形状及び冷却条件に注意する。必要なら、高周波加熱で要部のみ焼き入れ・焼戻しとすれば良い。針先７、及びアゴ６を仕上げ研磨して、耳２部等の、釣り糸１０を結ぶ部分付近の、鋭角部は面取りする。必要に応じて、環状部３０を構成する線材を軸３の穴に挿入し、溶接・ロー付け・半田付け等、及びその組合わせで、軸３に固定すれば良い。環状部３０を構成する線材は、通し性・接合性を考慮した異形断面（部分異形を含む）でもかまわない。軸３を部分的に除去加工してから環状部３０を付ける場合、除去加工は、平面研削盤等の適宜手段でかまわない。又、軸３に穴を設けて接合しない線材や同じく通し穴を持つ板材等の環状部３０の場合も、接合手段は同じである。接合等の後、バレル研磨等の方法で、表面を仕上げても良い。この後に、鍍金や焼き上げ等によって、防錆処理を行う場合もある。工程の順序は、製作する釣り針の形状・材質や線径で異なり、環状部３０の形状と接合方法、適合する釣り糸１０の材質や結合方法に合わせて、最適に決める必要がある。【０１０６】焼き入れ等の工程で不具合を生じる場合、後で時効硬化処理の効く材料、例えば、ＳＵＳ６３０系等を用いても良い。この場合、穴や耳２の周囲に、クラック等の生じ易い焼き入れ工程は必要無く、雰囲気炉・真空炉等に入れて適温まで上げ、析出硬化をさせて硬度を上げれば良い。【０１０７】同様に、耳２形状の自由度・強度（厚み）確保や、焼き入れ不具合の発生防止といった点からも、耳２（２ａ・２ｂ・２ｃ・２ｄ）は、別材で製作して、軸３で接合した方が、コスト上有利な場合が考えられる。この場合は、ロー付け・半田付け・溶接（スポット溶接等を含む）、或いは、その組合わせ等で製作可能である。これらの接合しての製作上の要点は、その接合面積が大きいほど、強度が確保されることであり、その接合の内、溶接性については、従来用いられている高炭素鋼は良くないので、避ける事である。接合した耳２を付けると、様々な耳２の形状を採用する事が出来る。【０１０８】本願発明請求項２の耳２の長さを大きくする場合、略平面と穴を持つ耳２２ｃの場合は、プレス機で潰す長さを大きくすれば良い。耳２ｄの場合は、耳相当の線材の、曲げる長さを大きくすれば良い。接合で組み立てる耳２（２ａ・２ｂ・２ｃ・２ｄ）の場合、その金具を長くすれば良い。【０１０９】本願発明請求項３の、略平面を持つ耳２（２ａ・２ｂ・２ｃ）の端部Ｇ側を大きな半径値Ｒで曲げる場合、縁を部分的に曲げれば良いが、縁が曲線状の場合は、絞り加工で曲線に沿って変形させて、面取りの代りのＱ部とすれば良い。これらの変形（加工）は、硬度を上げる熱処理工程よりも前に行う。この手法によって、耳２自体の厚みが薄くなっても、曲率を大きく取り、且つ、剛性も維持できる。これらの構造を取るものについては、吊り下げ時に釣り糸１０に与える危害が小さく出来るので、耳２の角度Ｔを小さくして、掛かり始めの早い時点で、接触点Ａが発生するようにも出来る。【０１１０】本願発明請求項４の、耳２ｃの穴の周囲に、ファンネルＭ部を加工する場合、硬度を上げる熱処理工程よりも前に、プレス加工で行えば良い。絞り加工の代りに、図１０１の様に、釣り糸１０を傷付け難く、滑りの良好な金属製や樹脂製のハトメを嵌めこんでも良い。【０１１１】本願発明請求項５の、耳２ｄの形状を従来にない形状として、通し性と掛かり性を向上させる場合、軸３端の曲げる形状を変えるだけで良い。耳２ｄの合わせ目はロウ付け・半田付け・溶接等で接合すれば良い。断面積の都合上、耳２ｄの環を構成する末端側に、線径の小さな部分が必要な場合、まず適切な長さに切断した断面が丸い高炭素鋼線・特殊鋼線等の線材を、釣り針の加工工程の前に、インフィード式のセンターレス研削盤で、図１０２の様に、径違いの一連の線材に研削加工したり、ロールによる転造盤で同様の形状に転造加工する。この図１０２の、括弧付の符号は、予定形状部位を示している。研削加工で周方向に発生する傷は、必要なら、ロール転造やバレル研磨で、取り去れば良い。この線材の太さを変える工法は、環状部３０を構成する線材にも使用出来る。【０１１２】本願発明請求項６の、釣り糸１０の落ち着きを良くする曲がり部を設ける場合、ベンダーやプレスで加工すれば良い。【０１１３】本願発明請求項に共通の仕掛けについては、釣り糸１０に、本願発明の釣り針を、１本つけただけのものでも良いし、片テン仕掛け・胴付き仕掛け等の様に、釣り糸にエダスを付けて、複数の釣り針にしたものでも良い。
【産業上の利用可能性】
【０１１４】本願発明を、従来の釣り針に適用（改造）する場合は、精密加工・金型加工産業分野で、精密穴あけ加工や接合が可能な技術があれば、問題なく製造出来る。従来の釣り針よりも、広い範囲に沢山のメリットがある本願発明は、広く海外へ展開する事が可能となり、相手国で類似の考察に基づく改良がなされていなければ、国内の当業者にアドバンテージを与える事が可能である。
【図面の簡単な説明】
【０１１５】
【図１】本願発明の釣り針の１実施例の斜視図（斜め後ろから見た場合）
【図２】フトコロ８がひとつの、釣り針１の各部名称を示す模式図
【図３】撞木（シュモク）の耳２ａの正面模式図
【図４】シュモクの内の、丸耳２ｂの正面模式図
【図５】穴サラエの耳２ｃの正面模式図
【図６】管付（尻曲がり）の耳２ｄの正面模式図
【図７】ギザ耳２ｅの斜視模式図
【図８】その他の耳形状例を示す斜視図
【図９】その他の耳形状例を示す斜視図
【図１０】外掛け結びの接続構造を示す部分断面図
【図１１】従来技術の表
【図１２】従来技術の表
【図１３】従来技術の表
【図１４】従来技術の表
【図１５】従来技術の表
【図１６】耳２（２ａ・２ｂ・２ｃ）のフトコロ８側平面の、角度Ｔを示す斜視図
【図１７】管付の耳２ｄに、クリンチノットで結合した１例を解説する模式図
【図１８】管付の耳２ｄの、結合の１例を解説する模式図
【図１９】穴サラエの耳２ｃに、ワイヤー１０ｃで、首振り結合部１５ａでの模式図
【図２０】オキアミ２０（全体）の模式図
【図２１】尻尾付近の腹節２０ｎで切断した、オキアミ２５の模式図
【図２２】オキアミ２５の従来の取り付け方の模式図（腹掛け）
【図２３】オキアミ２５の従来の取り付け方の模式図（背掛け）
【図２４】オキアミ２５の従来の取り付け方の模式図（抱き合わせ）
【図２５】オキアミ２５の従来の取り付け方の模式図（背合わせ）
【図２６】オキアミ２５の従来の取り付け方の模式図（房掛け）
【図２７】オキアミ２５の従来の取り付け方の模式図
【図２８】本願発明での、環状部３０を設ける概略位置を示す領域図
【図２９】本願発明の釣り針の１実施例の斜視図
【図３０】本願発明の釣り針の１実施例の斜視図
【図３１】本願発明の釣り針の１実施例の斜視図
【図３２】本願発明の釣り針の１実施例の斜視図
【図３３】本願発明の釣り針の１実施例の斜視図
【図３４】本願発明の釣り針の１実施例の斜視図
【図３５】本願発明の釣り針の１実施例の斜視図
【図３６】本願発明の釣り針の１実施例の斜視図
【図３７】本願発明の釣り針の１実施例の斜視図
【図３８】本願発明の釣り針の１実施例の部分断面図（Ｇ側曲げ）
【図３９】本願発明の釣り針の１実施例の斜視図（Ｇ側絞り）
【図４０】本願発明の釣り針の１実施例の部分断面図（Ｍ部加工）
【図４１】本願発明の釣り針の耳２ｄの１例の斜視図（合わせ目ロー付け）
【図４２】従来の耳２ａ・２ｂの釣り針に、外掛け結びをした場合の、拡大断面図
【図４３】図４２の断面積比較の表とモデル
【図４４】外掛け結びをした場合の、拡大断面図（耳２ｄ）
【図４５】図４４の断面積比較の表とモデル
【図４６】本願発明の釣り針の１実施例の模式図
【図４７】図４６の結合模式図
【図４８】図４７の各部断面積の数値、及び軸３との断面積比較の表とモデル
【図４９】図４５と図４８の断面積比の比較グラフ
【図５０】本願発明の釣り針の１実施例の模式図
【図５１】図５０の結合模式図
【図５２】図５１の各部断面積の数値、及び軸３との断面積比較の表とモデル
【図５３】図４３と図５２の断面積比の比較グラフ
【図５４】本願発明の釣り針の１実施例の模式図
【図５５】図５４の結合模式図
【図５６】図５５の各部断面積の数値、図４３との断面積比較の表とモデルとグラフ
【図５７】本願発明の仕掛けに、オキアミ２５を直列取付した１実施例の模式図
【図５８】取り付けの作業詳細図
【図５９】取り付けの作業詳細図
【図６０】取り付けの作業詳細図
【図６１】取り付けの作業詳細図
【図６２】オキアミ２５の、前処理例の模式図
【図６３】本願発明の仕掛けに、オキアミ２７を直列取付した１実施例の模式図
【図６４】本願発明の仕掛けに、オキアミ２５・２７を直列取付した１実施例の模式図
【図６５】釣り針１仕掛けの状態を示す模式図
【図６６】釣り針仕掛けの状態を示す模式図（吸込み中）
【図６７】釣り針仕掛けの状態を示す模式図（掛かり時）
【図６８】釣り針仕掛けの状態を示す模式図（掛かり時拡大）
【図６９】釣り針仕掛けの状態を示す模式図（結合不適切）
【図７０】釣り針１の形状・状態を示す模式図（寸法付）
【図７１】釣り針１の状態を示す模式図（寸法付）
【図７２】釣り針１の状態を示す模式図（寸法付）
【図７３】釣り針１の形状・状態を示す模式図（寸法付）
【図７４】釣り針１の状態を示す模式図（寸法付）
【図７５】釣り針１仕掛けが、魚の口腔内で寝ている状態の模式図
【図７６】管付の耳２ｄの、従来結合部１５のＡ点・Ｂ点を示す拡大模式図
【図７７】本願発明でのＡ点・Ｂ点の位置の１例を示す模式図
【図７８】本願発明の耳２ｄでの、環状部３０位置の１例を示す模式図
【図７９】本願発明での結合の１例を示す模式図
【図８０】本願発明の釣り針の１実施例の斜視正面図
【図８１】本願発明の釣り針の１実施例の斜視正面図（ヒネリ入り）
【図８２】本願発明の釣り針の１実施例の斜視正面図
【図８３】本願発明の釣り針の１実施例の上面図
【図８４】本願発明の釣り針の１実施例の側面図
【図８５】本願発明の釣り針の１実施例の断面図
【図８６】本願発明の釣り針の１実施例の断面図
【図８７】本願発明の釣り針の１実施例の斜視正面図
【図８８】図４６の本願発明の別結合模式図
【図８９】図８８の断面積の表と、比較グラフ
【図９０】本願発明の仕掛け１実施例の模式図
【図９１】本願発明の仕掛け１実施例の模式図
【図９２】本願発明の耳２（２ａ・２ｂ・２ｃ）の、長さＬの定義を示す模式図
【図９３】本願発明の耳２ｄの、長さＬの定義を示す模式図
【図９４】本願発明の釣り針の１実施例の模式図（除去加工）
【図９５】本願発明の釣り針の１実施例の模式図
【図９６】本願発明の釣り針の１実施例の模式図
【図９７】本願発明の釣り針の１実施例の模式図（部分拡大）
【図９８】本願発明の結合の１実施例の模式図（途中）
【図９９】本願発明の結合の１実施例の模式図
【図１００】本願発明の結合の１実施例の模式図（編みつけ）
【図１０１】本願発明のＭ部加工の１実施例の模式図（ハトメ嵌め込み）
【図１０２】素材を前加工した状態の１実施例の模式図
【符号の説明】
【０１１６】    １：釣り針（全体）                ２：耳（タタキ・チモト・アイ等）
２ａ：撞木の耳                    ２ｂ：丸耳
２ｃ：穴サラエの耳                ２ｄ：管付（尻曲がり）の耳
２ｅ：ギザ耳
３：軸（茎、シャンク等）          ４：腰曲がり
５：先曲がり                      ６：アゴ（モドシ・カエシ・バーブ）
７：針先                          ８：フトコロ
１０：釣り糸（全般）            １０ａ：釣り糸（樹脂ハリス・モノフィラメント）
１０ｂ：釣り糸（編み糸）          １０ｃ：釣り糸（ワイヤー）
１５：結合部                    １５ａ：首振り結合部
１５ｂ：釣り糸１０に作った結び目
１６：従来結合部に共縛りした切込み入りナイロン
１７：根付け仕掛けの末端の環    １７ａ：１７の樹脂固め部
１８：編みつけ部（土佐結び式）
１９：釣り糸１０による根付け部（全体）
２０：オキアミ（全体）          ２０ａ：眼
２０ｂ：前頭部                    ２０ｃ：頸溝
２０ｄ：鰓                        ２０ｅ：頭胸甲
２０ｆ：頭胸部                    ２０ｇ：第一腹節
２０ｈ：尾節                      ２０ｉ：副棘
２０ｊ：尾肢                      ２０ｋ：肛門前棘（第六腹節）
２０ｍ：胸脚                      ２０ｎ：腹節
２５：前処理した頭胸部付オキアミ
２７：前処理したオキアミ腹部（腹節２０ｎの集まり）
３０：環状部（そのループ構成の一部に、軸３或いは耳２を利用するものを含む）
４０：魚の口腔（上顎）            ４１：魚の口腔（下顎）
４７：接合部分（溶接・ロー付け・半田付け等）
Ａ：耳２のＧ部と釣り糸１０の接触点（フトコロ８側Ｇ部と釣り糸１０との接触点）
Ｂ：釣り糸１０の釣り針への結合点（出糸起点、結合方法や環状部位置で異なる）
Ｃ：釣り糸１０の末端
Ｃｗ：釣り糸１０の末端を押えて止める釣り糸１０の略輪部
Ｅ：潰した耳２（２ａ・２ｂ・２ｃ）と軸３の境界部
Ｇ：耳２（２ａ・２ｂ・２ｃ・２ｄ）の末端
Ｈ：環状部３０部とＥ部との距離
Ｊ：環状部３０の持つスロープ部
Ｌ：有効な耳２長さ
Ｍ：耳２ｃの穴のファンネル加工部（ハトメ嵌入も可）
Ｑ：長い耳２（２ａ・２ｂ・２ｃ）のＧ側に設けた縁の絞り曲面部
Ｒ：長い耳２（２ａ・２ｂ・２ｃ）のＧ側部分的曲げの半径値
Ｓ：釣り糸１０の張る力（合わせ時も含む、総合）
Ｔ：耳２のフトコロ８側の面の、直近の軸３との交差角度
Ｔａ：耳２ｄのＧ側追加曲げ部の、耳２直近の軸３との交差角度
Ｕ，Ｖ，Ｗ，Ｘ，Ｙ，Ｚ：位置記号
ｄ：環状部３０の略内径
ｆ：釣り糸１０が、そのテンションＳを元に、耳２Ｇ側との接触点Ａを押し返す力
ｐ：針先７が、魚の口腔４０に突入する角度
【図１】
2006122032.tif 000003
【図２】
2006122032.tif 000004
【図３】
2006122032.tif 000005
【図４】
2006122032.tif 000006
【図５】
2006122032.tif 000007
【図６】
2006122032.tif 000008
【図７】
2006122032.tif 000009
【図８】
2006122032.tif 000010
【図９】
2006122032.tif 000011
【図１０】
2006122032.tif 000012
【図１１】
2006122032.tif 000013
【図１２】
2006122032.tif 000014
【図１３】
2006122032.tif 000015
【図１４】
2006122032.tif 000016
【図１５】
2006122032.tif 000017
【図１６】
2006122032.tif 000018
【図１７】
2006122032.tif 000019
【図１８】
2006122032.tif 000020
【図１９】
2006122032.tif 000021
【図２０】
2006122032.tif 000022
【図２１】
2006122032.tif 000023
【図２２】
2006122032.tif 000024
【図２３】
2006122032.tif 000025
【図２４】
2006122032.tif 000026
【図２５】
2006122032.tif 000027
【図２６】
2006122032.tif 000028
【図２７】
2006122032.tif 000029
【図２８】
2006122032.tif 000030
【図２９】
2006122032.tif 000031
【図３０】
2006122032.tif 000032
【図３１】
2006122032.tif 000033
【図３２】
2006122032.tif 000034
【図３３】
2006122032.tif 000035
【図３４】
2006122032.tif 000036
【図３５】
2006122032.tif 000037
【図３６】
2006122032.tif 000038
【図３７】
2006122032.tif 000039
【図３８】
2006122032.tif 000040
【図３９】
2006122032.tif 000041
【図４０】
2006122032.tif 000042
【図４１】
2006122032.tif 000043
【図４２】
2006122032.tif 000044
【図４３】
2006122032.tif 000045
【図４４】
2006122032.tif 000046
【図４５】
2006122032.tif 000047
【図４６】
2006122032.tif 000048
【図４７】
2006122032.tif 000049
【図４８】
2006122032.tif 000050
【図４９】
2006122032.tif 000051
【図５０】
2006122032.tif 000052
【図５１】
2006122032.tif 000053
【図５２】
2006122032.tif 000054
【図５３】
2006122032.tif 000055
【図５４】
2006122032.tif 000056
【図５５】
2006122032.tif 000057
【図５６】
2006122032.tif 000058
【図５７】
2006122032.tif 000059
【図５８】
2006122032.tif 000060
【図５９】
2006122032.tif 000061
【図６０】
2006122032.tif 000062
【図６１】
2006122032.tif 000063
【図６２】
2006122032.tif 000064
【図６３】
2006122032.tif 000065
【図６４】
2006122032.tif 000066
【図６５】
2006122032.tif 000067
【図６６】
2006122032.tif 000068
【図６７】
2006122032.tif 000069
【図６８】
2006122032.tif 000070
【図６９】
2006122032.tif 000071
【図７０】
2006122032.tif 000072
【図７１】
2006122032.tif 000073
【図７２】
2006122032.tif 000074
【図７３】
2006122032.tif 000075
【図７４】
2006122032.tif 000076
【図７５】
2006122032.tif 000077
【図７６】
2006122032.tif 000078
【図７７】
2006122032.tif 000079
【図７８】
2006122032.tif 000080
【図７９】
2006122032.tif 000081
【図８０】
2006122032.tif 000082
【図８１】
2006122032.tif 000083
【図８２】
2006122032.tif 000084
【図８３】
2006122032.tif 000085
【図８４】
2006122032.tif 000086
【図８５】
2006122032.tif 000087
【図８６】
2006122032.tif 000088
【図８７】
2006122032.tif 000089
【図８８】
2006122032.tif 000090
【図８９】
2006122032.tif 000091
【図９０】
2006122032.tif 000092
【図９１】
2006122032.tif 000093
【図９２】
2006122032.tif 000094
【図９３】
2006122032.tif 000095
【図９４】
2006122032.tif 000096
【図９５】
2006122032.tif 000097
【図９６】
2006122032.tif 000098
【図９７】
2006122032.tif 000099
【図９８】
2006122032.tif 000100
【図９９】
2006122032.tif 000101
【図１００】
2006122032.tif 000102
【図１０１】
2006122032.tif 000103
【図１０２】
2006122032.tif 000104